(57)【要約】  本発明は情報伝送方法を開示し、該方法は第１端末装置がネットワーク装置に第１指示情報を送信することを含み、前記第１指示情報は第１情報を含み、前記第１情報は肯定応答／否定応答情報、ビームインデックス情報、チャネル品質指標情報、チャネル状態指標情報、プリコーディング行列指標情報、ランク指示情報、電力指示情報のうちの少なくとも１つを含む。本発明は更に他の情報伝送方法、第１端末装置、ネットワーク装置及び記憶媒体を開示する。
2022500906.tif 000002
【特許請求の範囲】
【請求項１】
情報伝送方法であって、
第１端末装置がネットワーク装置に第１指示情報を送信することを含み、
前記第１指示情報は第１情報を含み、前記第１情報は肯定応答／否定応答（ＡＣＫ／ＮＡＣＫ）情報、ビームインデックス情報、チャネル品質指標（ＣＱＩ）情報、チャネル状態指標（ＣＳＩ）情報、プリコーディング行列指標（ＰＭＩ）情報、ランク指示情報、電力指示情報のうちの少なくとも１つを含み、
前記ＡＣＫ／ＮＡＣＫ情報は前記第１端末装置から第２端末装置に送信されたサイドリンクデータが前記第２端末装置に正しく受信されたかどうかを示すことに用いられ、
前記ビームインデックス情報は前記第１端末装置が前記第２端末装置にサイドリンクデータを送信する際に使用するビームを示すことに用いられ、
前記ＣＱＩ情報は前記第１端末装置と前記第２端末装置との間のチャネル品質を示すことに用いられ、
前記ＣＳＩ情報は前記第１端末装置と前記第２端末装置との間のチャネル状態を示すことに用いられ、
前記ＰＭＩ情報は前記第１端末装置が前記第２端末装置にサイドリンクデータを送信する際に使用するプレコーディング情報を示すことに用いられ、
前記ランク指示情報は前記第１端末装置が前記第２端末装置にサイドリンクデータを送信する際に使用するランク情報を示すことに用いられ、
前記電力指示情報は電力の向上又は低下、あるいは電力残量情報を示すことに用いられる情報伝送方法。
【請求項２】
前記第１端末装置がネットワーク装置に第１指示情報を送信することは、
前記第１端末装置は前記第１指示情報を含むアップリンク制御チャネルを前記ネットワーク装置に送信することを含む請求項１に記載の方法。
【請求項３】
前記方法は更に、
前記第１端末装置は第２指示情報を含むダウンリンク制御情報を受信し、前記第２指示情報は前記アップリンク制御チャネルの伝送リソースを決定することに用いられることを含む請求項２に記載の方法。
【請求項４】
前記ダウンリンク制御情報は前記第１端末装置にサイドリンク伝送リソースを割り当てることに用いられる請求項３に記載の方法。
【請求項５】
前記第１端末装置がネットワーク装置に第１指示情報を送信することは、
前記第１端末装置は前記第１指示情報を含むアップリンクデータチャネルを前記ネットワーク装置に送信することを含む請求項１に記載の方法。
【請求項６】
前記第１指示情報は前記アップリンクデータチャネルをパンクチャリングすることにより前記アップリンクデータチャネルに搬送される請求項５に記載の方法。
【請求項７】
前記第１指示情報はレートマッチング方式で前記アップリンクデータチャネルに搬送される請求項５に記載の方法。
【請求項８】
前記第１端末装置がネットワーク装置に第１指示情報を送信することは、
前記第１端末装置は前記第１情報を搬送するアップリンク無線リソース制御シグナリングを前記ネットワーク装置に送信することを含む請求項１に記載の方法。
【請求項９】
前記第１端末装置がネットワーク装置に第１指示情報を送信することは、
前記第１端末装置は前記第１指示情報を含むスケジューリング要求をネットワーク装置に送信することを含む請求項１に記載の方法。
【請求項１０】
前記第１端末装置がネットワーク装置に第１指示情報を送信することは、
前記第１端末装置は前記第１指示情報を含むバッファ状態報告をネットワーク装置に送信することを含む請求項１に記載の方法。
【請求項１１】
前記第１指示情報は更に、前記第２端末装置の識別子情報、グループ識別子情報、第１識別子情報のうちの少なくとも１つを含み、
前記グループ識別子情報は前記第１端末が位置するグループの識別子情報であり、前記第１識別子情報は前記第１端末と前記第２端末がユニキャスト通信を行うリンク識別子情報である請求項１〜１０のいずれか１項に記載の方法。
【請求項１２】
前記第１指示情報は更に、参照信号受信電力（ＲＳＲＰ）、参照信号受信品質（ＲＳＲＱ）、受信信号強度指標（ＲＳＳＩ）、干渉指示情報、経路損失情報のうちの少なくとも１つを含む請求項１〜１１のいずれか１項に記載の方法。
【請求項１３】
前記方法は更に、
前記第１端末装置は前記第２端末装置から送信された、前記第１指示情報を含む第１サイドリンクチャネルを受信することを含む請求項１〜１２のいずれか１項に記載の方法。
【請求項１４】
前記方法は更に、
前記第１端末装置が前記第２端末装置から送信された第２サイドリンクチャネル及び／又は測定信号を受信し、前記第１端末装置が前記第２サイドリンクチャネル及び／又は測定信号に基づいて前記第１指示情報を取得することを含む請求項１〜１２のいずれか１項に記載の方法。
【請求項１５】
情報伝送方法であって、
ネットワーク装置は第１端末装置から送信された、第１情報を含む第１指示情報を受信し、前記第１情報は前記ネットワーク装置が伝送パラメータを設定し又はリソースを割り当てることに用いられることを含み、
前記第１情報は、肯定応答／否定応答（ＡＣＫ／ＮＡＣＫ）情報、ビームインデックス情報、チャネル品質指標（ＣＱＩ）情報、チャネル状態指標（ＣＳＩ）情報、プリコーディング行列指標（ＰＭＩ）情報、ランク指示情報、電力指示情報のうちの少なくとも１つを含み、
前記ＡＣＫ／ＮＡＣＫ情報は前記第１端末装置から第２端末装置に送信されたサイドリンクデータが前記第２端末装置に正しく受信されたかどうかを示すことに用いられ、
前記ビームインデックス情報は前記第１端末装置が前記第２端末装置にサイドリンクデータを送信する際に使用するビームを示すことに用いられ、
前記ＣＱＩ情報は前記第１端末装置と前記第２端末装置との間のチャネル品質を示すことに用いられ、
前記ＣＳＩ情報は前記第１端末装置と前記第２端末装置との間のチャネル状態を示すことに用いられ、
前記ＰＭＩ情報は前記第１端末装置が前記第２端末装置にサイドリンクデータを送信する際に使用するプレコーディング情報を示すことに用いられ、
前記ランク指示情報は前記第１端末装置が前記第２端末装置にサイドリンクデータを送信する際に使用するランク情報を示すことに用いられ、
前記電力指示情報は電力の向上又は低下、あるいは電力残量情報を示すことに用いられる情報伝送方法。
【請求項１６】
前記ネットワーク装置が第１指示情報を受信することは、
前記ネットワーク装置は第１端末装置から送信された、前記第１指示情報を含むアップリンク制御チャネルを受信することを含む請求項１５に記載の方法。
【請求項１７】
前記方法は更に、
前記ネットワーク装置は第２指示情報を含むダウンリンク制御情報を前記第１端末装置に送信し、前記第２指示情報は前記アップリンク制御チャネルの伝送リソースを決定することに用いられることを含む請求項１６に記載の方法。
【請求項１８】
前記ダウンリンク制御情報は前記第１端末装置にサイドリンク伝送リソースを割り当てることに用いられる請求項１７に記載の方法。
【請求項１９】
前記ネットワーク装置が第１指示情報を受信することは、
前記ネットワーク装置は第１端末装置から送信された、前記第１指示情報を含むアップリンクデータチャネルを受信することを含む請求項１５に記載の方法。
【請求項２０】
前記第１指示情報は前記アップリンクデータチャネルをパンクチャリングすることにより前記アップリンクデータチャネルに搬送される請求項１９に記載の方法。
【請求項２１】
前記第１指示情報はレートマッチング方式で前記アップリンクデータチャネルに搬送される請求項１９に記載の方法。
【請求項２２】
前記ネットワーク装置が第１指示情報を受信することは、
前記ネットワーク装置は第１端末装置から送信された、前記第１情報を搬送するアップリンク無線リソース制御シグナリングを受信することを含む請求項１５に記載の方法。
【請求項２３】
前記ネットワーク装置が第１指示情報を受信することは、
前記ネットワーク装置は第１端末装置から送信された、前記第１指示情報を含むスケジューリング要求を受信することを含む請求項１５に記載の方法。
【請求項２４】
前記ネットワーク装置が第１指示情報を受信することは、
前記ネットワーク装置は第１端末装置から送信された、前記第１指示情報を含むバッファ状態報告を受信することを含む請求項１５に記載の方法。
【請求項２５】
前記第１指示情報は更に、前記第２端末装置の識別子情報、グループ識別子情報、第１識別子情報のうちの少なくとも１つを含み、
前記グループ識別子情報は前記第１端末が位置するグループの識別子情報であり、前記第１識別子情報は前記第１端末と前記第２端末がユニキャスト通信を行うリンク識別子情報である請求項１５〜２４のいずれか１項に記載の方法。
【請求項２６】
前記第１指示情報は更に、参照信号受信電力（ＲＳＲＰ）、参照信号受信品質（ＲＳＲＱ）、受信信号強度指標（ＲＳＳＩ）、干渉指示情報、経路損失情報のうちの少なくとも１つを含む請求項１５〜２５のいずれか１項に記載の方法。
【請求項２７】
第１端末装置であって、第１送信ユニットを備え、
前記第１送信ユニットは、第１情報を含む第１指示情報をネットワーク装置に送信するように設定され、
前記第１情報は肯定応答／否定応答（ＡＣＫ／ＮＡＣＫ）情報、ビームインデックス情報、チャネル品質指標（ＣＱＩ）情報、チャネル状態指標（ＣＳＩ）情報、プリコーディング行列指標（ＰＭＩ）情報、ランク指示情報、電力指示情報のうちの少なくとも１つを含み、
前記肯定応答／否定応答（ＡＣＫ／ＮＡＣＫ）情報は前記第１端末装置から第２端末装置に送信されたサイドリンクデータが前記第２端末装置に正しく受信されたかどうかを示すことに用いられ、
前記ビームインデックス情報は前記第１端末装置が前記第２端末装置にサイドリンクデータを送信する際に使用するビームを示すことに用いられ、
前記ＣＱＩ情報は前記第１端末装置と前記第２端末装置との間のチャネル品質を示すことに用いられ、
前記ＣＳＩ情報は前記第１端末装置と前記第２端末装置との間のチャネル状態を示すことに用いられ、
前記ＰＭＩ指示情報は前記第１端末装置が前記第２端末装置にサイドリンクデータを送信する際に使用するプレコーディング情報を示すことに用いられ、
前記ランク指示情報は前記第１端末装置が前記第２端末装置にサイドリンクデータを送信する際に使用するランク情報を示すことに用いられ、
前記電力指示情報は電力の向上又は低下、あるいは電力残量情報を示すことに用いられる第１端末装置。
【請求項２８】
前記第１送信ユニットは、前記第１指示情報を含むアップリンク制御チャネルを前記ネットワーク装置に送信するように設定される請求項２７に記載の第１端末装置。
【請求項２９】
第１受信ユニットを更に備え、
前記第１受信ユニットは、第２指示情報を含むダウンリンク制御情報を受信するように設定され、前記第２指示情報は前記アップリンク制御チャネルの伝送リソースを決定することに用いられる請求項２８に記載の第１端末装置。
【請求項３０】
前記ダウンリンク制御情報は前記第１端末装置にサイドリンク伝送リソースを割り当てることに用いられる請求項２９に記載の第１端末装置。
【請求項３１】
前記第１送信ユニットは、前記第１指示情報を含むアップリンクデータチャネルを前記ネットワーク装置に送信するように設定される請求項２７に記載の第１端末装置。
【請求項３２】
前記第１指示情報は前記アップリンクデータチャネルをパンクチャリングすることにより前記アップリンクデータチャネルに搬送される請求項３１に記載の第１端末装置。
【請求項３３】
前記第１指示情報はレートマッチング方式で前記アップリンクデータチャネルに搬送される請求項３１に記載の第１端末装置。
【請求項３４】
前記第１送信ユニットは、前記第１情報を搬送するアップリンク無線リソース制御シグナリングを前記ネットワーク装置に送信するように設定される請求項２７に記載の第１端末装置。
【請求項３５】
前記第１送信ユニットは、前記第１指示情報を含むスケジューリング要求をネットワーク装置に送信するように設定される請求項２７に記載の第１端末装置。
【請求項３６】
前記第１送信ユニットは、前記第１指示情報を含むバッファ状態報告をネットワーク装置に送信するように設定される請求項２７に記載の第１端末装置。
【請求項３７】
前記第２端末装置から送信された、前記第１指示情報を含む第１サイドリンクチャネルを受信するように設定される第２受信ユニットを更に備える請求項２７〜３６のいずれか１項に記載の第１端末装置。
【請求項３８】
第３受信ユニットを更に備え、
前記第３受信ユニットは、前記第２端末装置から送信された第２サイドリンクチャネル及び／又は測定信号を受信するように設定され、前記第１端末装置は前記第２サイドリンクチャネル及び／又は測定信号に基づいて前記第１指示情報を取得する請求項２７〜３６のいずれか１項に記載の第１端末装置。
【請求項３９】
前記第１指示情報は更に、前記第２端末装置の識別子情報、グループ識別子情報、第１識別子情報のうちの少なくとも１つを含み、
前記グループ識別子情報は前記第１端末が位置するグループの識別子情報であり、前記第１識別子情報は前記第１端末と前記第２端末がユニキャスト通信を行うリンク識別子情報である請求項２７〜３８のいずれか１項に記載の第１端末装置。
【請求項４０】
前記第１指示情報は更に、参照信号受信電力（ＲＳＲＰ）、参照信号受信品質（ＲＳＲＱ）、受信信号強度指標（ＲＳＳＩ）、干渉指示情報、経路損失情報のうちの少なくとも１つを含む請求項２７〜３９のいずれか１項に記載の第１端末装置。
【請求項４１】
ネットワーク装置であって、第４受信ユニットを備え、
前記第４受信ユニットは、第１端末装置から送信された、第１情報を含む第１指示情報を受信するように設定され、前記第１情報は前記ネットワーク装置が伝送パラメータを設定し又はリソースを割り当てることに用いられ、
前記第１情報は肯定応答／否定応答（ＡＣＫ／ＮＡＣＫ）情報、ビームインデックス情報、チャネル品質指標（ＣＱＩ）情報、チャネル状態指標（ＣＳＩ）情報、プリコーディング行列指標（ＰＭＩ）情報、ランク指示情報、電力指示情報のうちの少なくとも１つを含み、
前記ＡＣＫ／ＮＡＣＫ情報は前記第１端末装置から第２端末装置に送信されたサイドリンクデータが前記第２端末装置に正しく受信されたかどうかを示すことに用いられ、
前記ビームインデックス情報は前記第１端末装置が前記第２端末装置にサイドリンクデータを送信する際に使用するビームを示すことに用いられ、
前記ＣＱＩ情報は前記第１端末装置と前記第２端末装置との間のチャネル品質を示すことに用いられ、
前記ＣＳＩ情報は前記第１端末装置と前記第２端末装置との間のチャネル状態を示すことに用いられ、
前記ＰＭＩ情報は前記第１端末装置が前記第２端末装置にサイドリンクデータを送信する際に使用するプレコーディング情報を示すことに用いられ、
前記ランク指示情報は前記第１端末装置が前記第２端末装置にサイドリンクデータを送信する際に使用するランク情報を示すことに用いられ、
前記電力指示情報は電力の向上又は低下、あるいは電力残量情報を示すことに用いられるネットワーク装置。
【請求項４２】
前記第４受信ユニットは、第１端末装置から送信された、前記第１指示情報を含むアップリンク制御チャネルを受信するように設定される請求項４１に記載のネットワーク装置。
【請求項４３】
第２送信ユニットを更に備え、前記第２送信ユニットは第２指示情報を含むダウンリンク制御情報を前記第１端末装置に送信するように設定され、前記第２指示情報は前記アップリンク制御チャネルの伝送リソースを決定することに用いられる請求項４２に記載のネットワーク装置。
【請求項４４】
前記ダウンリンク制御情報は前記第１端末装置にサイドリンク伝送リソースを割り当てることに用いられる請求項４３に記載のネットワーク装置。
【請求項４５】
前記ネットワーク装置が第１指示情報を受信することは、
前記ネットワーク装置は第１端末装置から送信された、前記第１指示情報を含むアップリンクデータチャネルを受信することを含む請求項４１に記載のネットワーク装置。
【請求項４６】
前記第１指示情報は前記アップリンクデータチャネルをパンクチャリングすることにより前記アップリンクデータチャネルに搬送される請求項４５に記載のネットワーク装置。
【請求項４７】
前記第１指示情報はレートマッチング方式で前記アップリンクデータチャネルに搬送される請求項４５に記載のネットワーク装置。
【請求項４８】
前記第４受信ユニットは、第１端末装置から送信された、前記第１情報を搬送するアップリンク無線リソース制御シグナリングを受信するように設定される請求項４１に記載のネットワーク装置。
【請求項４９】
前記第４受信ユニットは、第１端末装置から送信された、前記第１指示情報を含むスケジューリング要求を受信するように設定される請求項４１に記載のネットワーク装置。
【請求項５０】
前記第４受信ユニットは、第１端末装置から送信された、前記第１指示情報を含むバッファ状態報告を受信するように設定される請求項４１に記載のネットワーク装置。
【請求項５１】
前記第１指示情報は更に、前記第２端末装置の識別子情報、グループ識別子情報、第１識別子情報のうちの少なくとも１つを含み、
前記グループ識別子情報は前記第１端末が位置するグループの識別子情報であり、前記第１識別子情報は前記第１端末と前記第２端末がユニキャスト通信を行うリンク識別子情報である請求項４１〜５０のいずれか１項に記載のネットワーク装置。
【請求項５２】
前記第１指示情報は更に、参照信号受信電力（ＲＳＲＰ）、参照信号受信品質（ＲＳＲＱ）、受信信号強度指標（ＲＳＳＩ）、干渉指示情報、経路損失情報のうちの少なくとも１つを含む請求項４１〜５１のいずれか１項に記載のネットワーク装置。
【請求項５３】
端末装置であって、プロセッサと、プロセッサにおいて実行できるコンピュータプログラムを記憶することに用いられるメモリと、を備え、
前記プロセッサは前記コンピュータプログラムを実行するとき、請求項１〜１４のいずれか１項に記載の情報フィードバック方法におけるステップを実行することに用いられる端末装置。
【請求項５４】
ネットワーク装置であって、プロセッサと、プロセッサにおいて実行できるコンピュータプログラムを記憶することに用いられるメモリと、を備え、
前記プロセッサは前記コンピュータプログラムを実行するとき、請求項１５〜２６のいずれか１項に記載の情報フィードバック方法におけるステップを実行することに用いられるネットワーク装置。
【請求項５５】
実行可能プログラムが記憶され、前記実行可能プログラムがプロセッサにより実行されるとき、請求項１〜１４のいずれか１項に記載の情報フィードバック方法を実現する記憶媒体。
【請求項５６】
実行可能プログラムが記憶され、前記実行可能プログラムがプロセッサにより実行されるとき、請求項１５〜２６のいずれか１項に記載の情報フィードバック方法を実現する記憶媒体。
【発明の詳細な説明】
【技術分野】
【０００１】
本発明は無線通信技術分野に関し、特に情報伝送方法、装置及び記憶媒体に関する。
【背景技術】
【０００２】
第５世代（５Ｇ、５ｔｈ  Ｇｅｎｅｒａｔｉｏｎ）新無線（ＮＲ、Ｎｅｗ  Ｒａｄｉｏ）システムにおける車両とモノの通信（Ｖ２Ｘ、Ｖｅｈｉｃｌｅ  ｔｏ  Ｅｖｅｒｙｔｈｉｎｇ）において、自動運転をサポートする必要があるため、車両間のデータ交換に対してより高い要件、例えばより高いスループット、より低い遅延、より高い信頼性、より広いカバレッジ範囲、より柔軟なリソース割り当てが提案された。
【０００３】
ＮＲ  Ｖ２Ｘにおいて、サイドリンクデータを送信する伝送リソースはネットワークにより割り当てられてもよく、サイドリンクユニキャスト通信において、サイドリンクデータの送信端が受信端にサイドリンクデータを送信するとき、サイドリンクデータ受信端はデータ送信端にフィードバック情報を送信する必要があるが、データ送信端は該フィードバック情報をネットワーク装置に送信する必要があり、それによりネットワーク装置は該フィードバック情報に基づいて伝送パラメータを設定し又はリソースを割り当てることができる。しかしながら、データ送信端がどのようにフィードバック情報をネットワーク装置に送信するかについては、現在有効な解決案がまだ存在しない。
【発明の概要】
【発明が解決しようとする課題】
【０００４】
上記技術的問題を解決するために、本発明の実施例はデータ送信端がデータ受信端から送信されたフィードバック情報をネットワーク装置に送信することのできる情報伝送方法、装置及び記憶媒体を提供する。
【課題を解決するための手段】
【０００５】
第１態様では、本発明の実施例は情報伝送方法を提供し、前記方法は第１端末装置がネットワーク装置に第１指示情報を送信することを含み、前記第１指示情報は第１情報を含み、前記第１情報は肯定応答／否定応答情報、ビームインデックス情報、チャネル品質指標情報、チャネル状態指標情報、プリコーディング行列指標情報、ランク指示情報、電力指示情報のうちの少なくとも１つを含み、
前記肯定応答／否定応答情報は前記第１端末装置から第２端末装置に送信されたサイドリンクデータが前記第２端末装置に正しく受信されたかどうかを示すことに用いられ、
前記ビームインデックス情報は前記第１端末装置が前記第２端末装置にサイドリンクデータを送信する際に使用するビームを示すことに用いられ、
前記チャネル品質指標情報は前記第１端末装置と前記第２端末装置との間のチャネル品質を示すことに用いられ、
前記チャネル状態指標情報は前記第１端末装置と前記第２端末装置との間のチャネル状態を示すことに用いられ、
前記プリコーディング行列指標情報は前記第１端末装置が前記第２端末装置にサイドリンクデータを送信する際に使用するプレコーディング情報を示すことに用いられ、
前記ランク指示情報は前記第１端末装置が前記第２端末装置にサイドリンクデータを送信する際に使用するランク情報を示すことに用いられ、
前記電力指示情報は電力の向上又は低下、あるいは電力残量情報を示すことに用いられる。
【０００６】
第２態様では、本発明の実施例は情報伝送方法を提供し、前記方法は、ネットワーク装置が第１端末装置から送信された、第１情報を含む第１指示情報を受信し、前記第１情報は前記ネットワーク装置が伝送パラメータを設定し又はリソースを割り当てることに用いられることを含み、
前記第１情報は肯定応答／否定応答情報、ビームインデックス情報、チャネル品質指標情報、チャネル状態指標情報、プリコーディング行列指標情報、ランク指示情報、電力指示情報のうちの少なくとも１つを含み、
前記肯定応答／否定応答情報は前記第１端末装置から第２端末装置に送信されたサイドリンクデータが前記第２端末装置に正しく受信されたかどうかを示すことに用いられ、
前記ビームインデックス情報は前記第１端末装置が前記第２端末装置にサイドリンクデータを送信する際に使用するビームを示すことに用いられ、
前記チャネル品質指標情報は前記第１端末装置と前記第２端末装置との間のチャネル品質を示すことに用いられ、
前記チャネル状態指標情報は前記第１端末装置と前記第２端末装置との間のチャネル状態を示すことに用いられ、
前記プリコーディング行列指標情報は前記第１端末装置が前記第２端末装置にサイドリンクデータを送信する際に使用するプレコーディング情報を示すことに用いられ、
前記ランク指示情報は前記第１端末装置が前記第２端末装置にサイドリンクデータを送信する際に使用するランク情報を示すことに用いられ、
前記電力指示情報は電力の向上又は低下、あるいは電力残量情報を示すことに用いられる。
【０００７】
第３態様では、本発明の実施例は第１端末装置を提供し、前記第１端末装置は第１送信ユニットを備え、
前記第１送信ユニットは、第１情報を含む第１指示情報をネットワーク装置に送信するように設定され、前記第１情報は肯定応答／否定応答情報、ビームインデックス情報、チャネル品質指標情報、チャネル状態指標情報、プリコーディング行列指標情報、ランク指示情報、電力指示情報のうちの少なくとも１つを含み、
前記肯定応答／否定応答情報は前記第１端末装置から第２端末装置に送信されたサイドリンクデータが前記第２端末装置に正しく受信されたかどうかを示すことに用いられ、
前記ビームインデックス情報は前記第１端末装置が前記第２端末装置にサイドリンクデータを送信する際に使用するビームを示すことに用いられ、
前記チャネル品質指標情報は前記第１端末装置と前記第２端末装置との間のチャネル品質を示すことに用いられ、
前記チャネル状態指標情報は前記第１端末装置と前記第２端末装置との間のチャネル状態を示すことに用いられ、
前記プリコーディング行列指標情報は前記第１端末装置が前記第２端末装置にサイドリンクデータを送信する際に使用するプレコーディング情報を示すことに用いられ、
前記ランク指示情報は前記第１端末装置が前記第２端末装置にサイドリンクデータを送信する際に使用するランク情報を示すことに用いられ、
前記電力指示情報は電力の向上又は低下、あるいは電力残量情報を示すことに用いられる。
【０００８】
第４態様では、本発明の実施例はネットワーク装置を提供し、前記ネットワーク装置は第４受信ユニットを備え、
前記第４受信ユニットは、第１端末装置から送信された、第１情報を含む第１指示情報を受信するように設定され、前記第１情報は前記ネットワーク装置が伝送パラメータを設定し又はリソースを割り当てることに用いられ、前記第１情報は肯定応答／否定応答情報、ビームインデックス情報、チャネル品質指標情報、チャネル状態指標情報、プリコーディング行列指標情報、ランク指示情報、電力指示情報のうちの少なくとも１つを含み、
前記肯定応答／否定応答情報は前記第１端末装置から第２端末装置に送信されたサイドリンクデータが前記第２端末装置に正しく受信されたかどうかを示すことに用いられ、
前記ビームインデックス情報は前記第１端末装置が前記第２端末装置にサイドリンクデータを送信する際に使用するビームを示すことに用いられ、
前記チャネル品質指標情報は前記第１端末装置と前記第２端末装置との間のチャネル品質を示すことに用いられ、
前記チャネル状態指標情報は前記第１端末装置と前記第２端末装置との間のチャネル状態を示すことに用いられ、
前記プリコーディング行列指標情報は前記第１端末装置が前記第２端末装置にサイドリンクデータを送信する際に使用するプレコーディング情報を示すことに用いられ、
前記ランク指示情報は前記第１端末装置が前記第２端末装置にサイドリンクデータを送信する際に使用するランク情報を示すことに用いられ、
前記電力指示情報は電力の向上又は低下、あるいは電力残量情報を示すことに用いられる。
【０００９】
第５態様では、本発明の実施例は端末装置を提供し、前記端末装置はプロセッサと、プロセッサにおいて実行できるコンピュータプログラムを記憶することに用いられるメモリと、を備え、前記プロセッサは前記コンピュータプログラムを実行するとき、上記第１端末装置の実行する情報フィードバック方法におけるステップを実行することに用いられる。
【００１０】
第６態様では、本発明の実施例はネットワーク装置を提供し、前記ネットワーク装置はプロセッサと、プロセッサにおいて実行できるコンピュータプログラムを記憶することに用いられるメモリと、を備え、前記プロセッサは前記コンピュータプログラムを実行するとき、上記ネットワーク装置の実行する情報フィードバック方法におけるステップを実行することに用いられる。
【００１１】
第７態様では、本発明の実施例は記憶媒体を提供し、前記記憶媒体に実行可能プログラムが記憶され、前記実行可能プログラムがプロセッサにより実行されるとき、上記第１端末装置の実行する情報フィードバック方法を実現する。
【００１２】
第８態様では、本発明の実施例は記憶媒体を提供し、前記記憶媒体に実行可能プログラムが記憶され、前記実行可能プログラムがプロセッサにより実行されるとき、上記ネットワーク装置の実行する情報フィードバック方法を実現する。
【発明の効果】
【００１３】
本発明の実施例に係る情報フィードバック方法、装置及び記憶媒体によれば、第１端末装置はネットワーク装置に第１指示情報を送信し、前記第１指示情報は第１情報を含み、前記第１情報は第１端末装置と第２端末装置との間に伝送されるサイドリンクデータに対するフィードバック情報である。このように、ＮＲ  Ｖ２Ｘにおいて、データ送信端はサイドリンクデータに対するフィードバック情報をネットワーク装置に送信し、それにより前記ネットワーク装置は前記第１情報に基づいてリソースをスケジューリングし又は伝送パラメータを設定することができる。
【図面の簡単な説明】
【００１４】
【図１】図１は本発明の実施例の通信システムの要部構成模式図である。
【図２】図２は本発明のモード３におけるデータ伝送の処理プロセスの模式図である。
【図３】図３は本発明のモード４におけるデータ伝送の処理プロセスの模式図である。
【図４】図４は本発明の実施例の第１端末装置に適用される情報伝送方法の選択可能な処理プロセスの模式図である。
【図５】図５は本発明の実施例のネットワーク装置に適用される情報伝送方法の選択可能な処理プロセスの模式図である。
【図６】図６は本発明の実施例の第１端末装置の要部構成模式図である。
【図７】図７は本発明の実施例のネットワーク装置の要部構成模式図である。
【図８】図８は本発明の実施例の電子装置のハードウェアの要部構成模式図である。
【発明を実施するための形態】
【００１５】
本発明の実施例の特徴及び技術的内容をより明確に理解できるために、以下に図面を参照しながら本発明の実施例の実現を詳しく説明する。添付の図面は参照・説明のためのものであって、本発明の実施例を制限するためのものではない。
【００１６】
本願の実施例に係る情報伝送方法は様々な通信システム、例えば、モバイル通信用グローバル（ＧＳＭ、Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ、Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ、Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ、Ｇｅｎｅｒａｌ  Ｐａｃｋｅｔ  Ｒａｄｉｏ  Ｓｅｒｖｉｃｅ）、ロングタームエボリューション（ＬＴＥ、Ｌｏｎｇ  Ｔｅｒｍ  Ｅｖｏｌｕｔｉｏｎ）システム、ＬＴＥ時分割複信（ＦＤＤ、Ｆｒｅｑｕｅｎｃｙ  Ｄｉｖｉｓｉｏｎ  Ｄｕｐｌｅｘ）システム、ＬＴＥ時分割複信（ＴＤＤ、Ｔｉｍｅ  Ｄｉｖｉｓｉｏｎ  Ｄｕｐｌｅｘ）、ユニバーサルモバイルテレコミュニケーションズシステム（ＵＭＴＳ、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、マイクロ波利用アクセスに関する世界的な相互運用（ＷｉＭＡＸ、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム又は５Ｇシステム等に適用されてもよい。
【００１７】
例示的に、本願の実施例に適用される通信システム１００は図１に示される。該通信システム１００はネットワーク装置１１０を備えてもよく、ネットワーク装置１１０は端末装置１２０（通信端末、端末とも称される）と通信する装置であってもよい。ネットワーク装置１１０は特定の地理的領域に通信カバレッジを提供することができ、且つ該カバレッジ領域内の端末装置と通信することができる。選択肢として、該ネットワーク装置１１０はＧＳＭシステム又はＣＤＭＡシステムにおける基地局（ＢＴＳ、Ｂａｓｅ  Ｔｒａｎｓｃｅｉｖｅｒ  Ｓｔａｔｉｏｎ）であってもよく、ＷＣＤＭＡシステムにおける基地局（ＮＢ、ＮｏｄｅＢ）であってもよく、ＬＴＥシステムにおける発展型基地局（ｅＮＢ又はｅＮｏｄｅＢ、Ｅｖｏｌｕｔｉｏｎａｌ  Ｎｏｄｅ  Ｂ）であってもよく、新無線システムにおける基地局ｇＮＢであってもよく、クラウド無線アクセスネットワーク（ＣＲＡＮ、Ｃｌｏｕｄ  Ｒａｄｉｏ  Ａｃｃｅｓｓ  Ｎｅｔｗｏｒｋ）における無線制御装置であってもよい。又は、該ネットワーク装置は移動交換局、中継局、アクセスポイント、車載装置、ウェアラブル装置、ハブ、スイッチ、ブリッジ、ルーター、５Ｇネットワークにおけるネットワーク側装置又は将来発展する公衆陸上移動網（ＰＬＭＮ、Ｐｕｂｌｉｃ  Ｌａｎｄ  Ｍｏｂｉｌｅ  Ｎｅｔｗｏｒｋ）におけるネットワーク装置等であってもよい。
【００１８】
該通信システム１００は更にネットワーク装置１１０のカバレッジ範囲内の少なくとも１つの端末装置１２０を備える。ここで使用される「端末装置」は、有線回線を介して接続するもの、例えば公衆電話交換網（ＰＳＴＮ、Ｐｕｂｌｉｃ  Ｓｗｉｔｃｈｅｄ  Ｔｅｌｅｐｈｏｎｅ  Ｎｅｔｗｏｒｋｓ）、デジタル加入者回線（ＤＳＬ、Ｄｉｇｉｔａｌ  Ｓｕｂｓｃｒｉｂｅｒ  Ｌｉｎｅ）、デジタルケーブル、直接ケーブルを介して接続するもの、及び／又は他のデータ接続／ネットワーク、及び／又は無線インターフェース、例えばセルラーネットワーク、無線ローカルエリアネットワーク（ＷＬＡＮ、Ｗｉｒｅｌｅｓｓ  Ｌｏｃａｌ  Ａｒｅａ  Ｎｅｔｗｏｒｋ）例えばＤＶＢ−Ｈネットワークに対するデジタルテレビネットワーク、衛星ネットワーク、ＡＭ−ＦＭ放送送信機を介するもの、及び／又は他の端末装置の通信信号を送受信するように設定される装置、及び／又はモノのインターネット（ＩｏＴ、Ｉｎｔｅｒｎｅｔ  ｏｆ  Ｔｈｉｎｇｓ）装置を含むが、それらに限らない。無線インターフェースを介して通信するように設定される端末装置は「無線通信端末」、「無線端末」又は「モバイル端末」と称されてもよい。モバイル端末の例は衛星又はセルラー方式の電話、セルラー無線電話及びデータ処理、ファックス及びデータ通信機能を組み合わせることのできるパーソナル通信システム（ＰＣＳ、Ｐｅｒｓｏｎａｌ  Ｃｏｍｍｕｎｉｃａｔｉｏｎｓ  Ｓｙｓｔｅｍ）端末、無線電話、ポケットベル、インターネット／イントラネットアクセス、Ｗｅｂブラウザ、メモ帳、カレンダー及び／又は全地球測位システム（ＧＰＳ、Ｇｌｏｂａｌ  Ｐｏｓｉｔｉｏｎｉｎｇ  Ｓｙｓｔｅｍ）受信機を備えてもよいＰＤＡ、及び通常のラップトップ及び／又はパームトップ受信機又は無線電話送受信機を備える他の電子装置を含むが、それらに限らない。端末装置とはアクセス端末、ユーザー装置（ＵＥ、Ｕｓｅｒ  Ｅｑｕｉｐｍｅｎｔ）、ユーザー要素、加入者局、移動局、トラバーサー、遠隔局、遠隔端末、モバイルデバイス、ユーザー端末、端末、無線通信装置、ユーザーエージェント又はユーザーデバイスを指してもよい。アクセス端末はセルラー電話、コードレスホン、セッション確立プロトコル（ＳＩＰ、Ｓｅｓｓｉｏｎ  Ｉｎｉｔｉａｔｉｏｎ  Ｐｒｏｔｏｃｏｌ）電話、ワイヤレスローカルループ（ＷＬＬ、Ｗｉｒｅｌｅｓｓ  Ｌｏｃａｌ  Ｌｏｏｐ）局、パーソナルデジタルアシスタント（ＰＤＡ、Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブル装置、５Ｇネットワークにおける端末装置又は将来発展するＰＬＭＮにおける端末装置等であってもよい。
【００１９】
選択肢として、端末装置１２０同士は装置対装置（Ｄ２Ｄ、Ｄｅｖｉｃｅ  ｔｏ  Ｄｅｖｉｃｅ）通信を行うことができる。
【００２０】
選択肢として、５Ｇシステム又は５Ｇネットワークは更に新無線（ＮＲ、Ｎｅｗ  Ｒａｄｉｏ）システム又はＮＲネットワークと称されてもよい。
【００２１】
図１には１つのネットワーク装置及び２つの端末装置を例示する。選択肢として、該通信システム１００は複数のネットワーク装置を備えてもよく、且つ各ネットワーク装置のカバレッジ範囲内に他の数の端末装置が含まれてもよく、本願の実施例は制限しない。
【００２２】
選択肢として、該通信システム１００は更にネットワーク制御装置、モビリティ管理エンティティ等の他のネットワークエンティティを備えてもよく、本願の実施例は制限しない。
【００２３】
理解されるように、本願の実施例では、ネットワーク／システムにおける通信機能を持つ装置が通信装置と称されてもよい。図１に示される通信システム１００を例として、通信装置は通信機能を持つネットワーク装置１１０及び端末装置１２０を含んでもよく、ネットワーク装置１１０と端末装置１２０は上記の具体的な装置であってもよく、ここで詳細な説明は省略する。通信装置は更に通信システム１００における他の装置、例えばネットワーク制御装置、モビリティ管理エンティティ等の他のネットワークエンティティを含んでもよく、本願の実施例は制限しない。
【００２４】
本発明の実施例を詳しく説明する前に、まず車とモノの通信システムを簡単に説明する。
【００２５】
車とモノの通信システムは装置対装置（Ｄ２Ｄ、Ｄｅｖｉｃｅ  ｔｏ  Ｄｅｖｉｃｅ）通信に基づくサイドリンク（ＳＬ、Ｓｉｄｅ  Ｌｉｎｋ）伝送技術であり、従来のＬＴＥシステムにおける通信データが基地局により送受信される方式と異なり、車とモノの通信システムにおける通信データが装置対装置の直接通信を用いるため、より高いスペクトル効率及びより低い伝送遅延を有する。
【００２６】
３ＧＰＰ  Ｒｅｌ−１４においてＶ２Ｘを標準化したが、モード３及びモード４の２つの伝送モードを定義した。
【００２７】
モード３において、データ伝送プロセスは図２に示され、車載端末のサイドリンク伝送リソースは基地局により割り当てられたものであり、車載端末は基地局が割り当てたリソースに基づいてサイドリンクにおいてデータを送信し、基地局は１回伝送するリソースを端末に割り当ててもよく、半静的に伝送するリソースを端末に割り当ててもよい。
【００２８】
モード４において、データ伝送プロセスは図３に示され、車載端末はセンシング（ｓｅｎｓｉｎｇ）及び予約（ｒｅｓｅｒｖａｔｉｏｎ）の伝送方式を用いる。車載端末はリソースプールにおいてセンシング方式で利用可能な伝送リソースセットを取得し、端末は該セットから１つのリソースをランダムに選択してサイドリンクデータの伝送を行う。車とモノの通信システムにおけるサービスが周期的特徴を有するため、端末は一般的に半静的伝送方式を用い、即ち端末は１つの伝送リソースを選択した後、複数の伝送周期において該リソースを持続的に使用することとなり、これによってリソース再選択及びリソース衝突の確率を低下させる。端末は今回伝送された制御情報に次回の伝送リソースの情報を含ませて予約させることとなり、これによって他の端末は該ユーザーの制御情報を検出することで、このリソースが該ユーザーに予約・使用されたかどうかを判断することを可能にして、リソース衝突を低下させるという目的を実現する。
【００２９】
ＮＲ−Ｖ２Ｘにおいて、自動運転をサポートする必要があるため、車両間のデータ交換に対してより高い要件、例えばより高いスループット、より低い遅延、より高い信頼性、より広いカバレッジ範囲、より柔軟なリソース割り当て等は提案された。
【００３０】
ＮＲ−Ｖ２Ｘにおいて、更に複数の伝送方式、例えばユニキャスト（ｕｎｉｃａｓｔ）、グループキャスト（ｇｒｏｕｐｃａｓｔ）、ブロードキャスト（ｂｒｏａｄｃａｓｔ）をサポートする必要がある。ユニキャスト伝送を行うとき、データ受信端末装置はデータ送信端末装置にフィードバック情報、例えば肯定応答／否定応答（ＡＣＫ／ＮＡＣＫ）情報、チャネル品質指標（ＣＱＩ、Ｃｈａｎｎｅｌ  Ｑｕａｌｉｔｙ  Ｉｎｄｉｃａｔｏｒ）情報等を送信する必要があり、データ送信端末装置はデータ受信端末装置のフィードバック情報に基づいて変調符号化方式（ＭＣＳ、Ｍｏｄｕｌａｔｉｏｎ  ａｎｄ  Ｃｏｄｉｎｇ  Ｓｃｈｅｍｅ）レベルを調整して、再送信等を行う必要があるかどうかを判断することができる。
【００３１】
ＮＲ−Ｖ２Ｘにおいて、サイドリンク伝送リソースはネットワーク装置により割り当てられたものであってもよい。サイドリンクにおいて、データ受信端末装置はデータ送信端末装置にフィードバック情報を送信し、フィードバック情報はＡＣＫ／ＮＡＣＫ、ＣＱＩ、チャネル状態情報（ＣＳＩ、Ｃｈａｎｎｅｌ  Ｓｔａｔｅ  Ｉｎｆｏｒｍａｔｉｏｎ）、電力調整情報等を含み、ネットワーク装置によるリソーススケジューリング及び伝送パラメータの設定を補助するために、送信端末装置は前記フィードバック情報をネットワーク装置に送信する必要がある。ネットワーク装置はデータ送信端末装置がフィードバックした情報に基づいて、サイドリンクにおけるデータがデータ受信端末装置に正しく受信されたかどうかを判断し、それによりデータ送信端末装置に新たなデータ伝送又は再送信のためのリソースを割り当てる。又は、データ送信端末装置はＣＳＩ／ＣＱＩ等の情報をネットワーク装置に送信して、ネットワーク装置による伝送パラメータの設定、例えばサイドリンクが使用するＭＣＳ等の設定を補助する。しかしながら、データ送信端末装置がどのようにフィードバック情報をネットワーク装置に送信するかについては、現在有効な解決案がまだ存在しない。
【００３２】
上記問題に基づいて、本発明の実施例に係る端末装置に適用される情報伝送方法の選択可能な処理プロセスは図４に示されるように、第１端末装置がネットワーク装置に第１指示情報を送信するステップＳ２０１を含む。
【００３３】
いくつかの実施例では、前記第１指示情報は第１情報を含み、前記第１情報は少なくとも下記情報のうちの少なくとも１つを含む。
【００３４】
１）ＡＣＫ／ＮＡＣＫ情報
該ＡＣＫ／ＮＡＣＫ情報は前記第１端末装置から第２端末装置に送信されたサイドリンクデータが前記第２端末装置に正しく受信されたかどうかを示すことに用いられる。
【００３５】
２）ビームインデックス情報
該ビームインデックス情報は前記第１端末装置が前記第２端末装置にサイドリンクデータを送信する際に使用するビームを示すことに用いられる。
【００３６】
３）ＣＱＩ情報
該ＣＱＩ情報は前記第１端末装置と前記第２端末装置との間のチャネル品質を示すことに用いられる。
【００３７】
４）ＣＳＩ情報
該ＣＳＩ情報は前記第１端末装置と前記第２端末装置との間のチャネル状態を示すことに用いられる。
【００３８】
５）プリコーディング行列指標（ＰＭＩ、Ｐｒｅｃｏｄｉｎｇ  Ｍａｔｒｉｘ  Ｉｎｄｉｃａｔｏｒ）情報
該プリコーディング行列指標情報は前記第１端末装置が前記第２端末装置にサイドリンクデータを送信する際に使用するプレコーディング情報を示すことに用いられる。
【００３９】
６）ランク指示情報
該ランク指示情報は前記第１端末装置が前記第２端末装置にサイドリンクデータを送信する際に使用するランク情報を示すことに用いられる。
【００４０】
７）電力指示情報
該電力指示情報は電力の向上又は低下、あるいは電力残量情報を示すことに用いられる。
【００４１】
８）候補リソースセット
前記候補リソースセットは前記第１端末装置がサイドリンクにおいてセンシングにより取得した利用可能な伝送リソースセットである。例えば、ネットワーク装置が第１リソースプールにおいて第１端末装置にサイドリンク伝送リソースを割り当て、ネットワーク装置が伝送リソースを前記第１端末装置に割り当てる前に、前記第１端末装置は前記第１リソースプールにおいてセンシング方式で前記候補リソースセットを決定し、前記候補リソースセットにおける各リソースはいずれも前記第１端末装置によるサイドリンクデータの伝送に使用可能な伝送リソースである。例えば、前記候補リソースセットは１つのリソース選択ウィンドウにおけるエネルギーの最も低いＮ個の伝送リソースからなる集合である。前記第１端末装置は前記候補リソースセットをネットワーク装置に送信して、ネットワーク装置によるリソーススケジューリングを補助する。
【００４２】
前記第１端末装置がネットワーク装置に第１指示情報を送信する具体的な実現方式は少なくとも、
前記第１端末装置が、前記第１指示情報を含むアップリンク制御チャネルを前記ネットワーク装置に送信すること、又は、
前記第１端末装置が、前記第１指示情報を含むアップリンクデータチャネルを前記ネットワーク装置に送信すること、又は、
前記第１端末装置が、前記第１情報を搬送するアップリンク無線リソース制御（ＲＲＣ、Ｒａｄｉｏ  Ｒｅｓｏｕｒｃｅ  Ｃｏｎｔｒｏｌ）シグナリングを前記ネットワーク装置に送信すること、又は、
前記第１端末装置が、前記第１指示情報を含むスケジューリング要求（ＳＲ、Ｓｃｈｅｄｕｌｉｎｇ  Ｒｅｑｕｅｓｔ）をネットワーク装置に送信すること、又は、
前記第１端末装置が、前記第１指示情報を含むバッファ状態報告（ＢＳＲ、Ｂｕｆｆｅｒ  Ｓｔａｔｕｓ  Ｒｅｐｏｒｔ）をネットワーク装置に送信することを含む。
【００４３】
前記第１端末装置がアップリンク制御チャネルの送信を介して前記第１指示情報を前記ネットワーク装置に送信するとき、物理アップリンク制御チャネル（ＰＵＣＣＨ、Ｐｈｙｓｉｃａｌ  Ｕｐｌｉｎｋ  Ｃｏｎｔｒｏｌ  Ｃｈａｎｎｅｌ）により前記第１指示情報を搬送してもよい。そして、異なるＰＵＣＣＨフォーマットで伝送できる情報のビット数が異なるため、第１指示情報に含まれる異なる内容は、対応するＰＵＣＣＨフォーマットで搬送されてもよい。
【００４４】
例えば、前記第１指示情報に含まれるビット数が２ビット以下である場合、第１ＰＵＣＣＨフォーマットで前記第１指示情報を搬送してもよい。前記第１指示情報に含まれるビット数が２ビットより大きい場合、第２ＰＵＣＣＨフォーマットで前記第１指示情報を搬送してもよい。
【００４５】
選択肢として、前記第１端末装置がアップリンク制御チャネルの送信を介して前記第１指示情報を前記ネットワーク装置に送信するとき、前記第１端末装置は更に前記ネットワーク装置から送信されたダウンリンク制御情報（ＤＣＩ、Ｄｏｗｎｌｉｎｋ  Ｃｏｎｔｒｏｌ  Ｉｎｆｏｒｍａｔｉｏｎ）を受信し、前記ダウンリンク制御情報は前記第１端末装置にサイドリンク伝送リソースを割り当てることに用いられ、前記ダウンリンク制御情報は前記アップリンク制御チャネルの伝送リソースを決定するための第２指示情報を含む。
【００４６】
例えば、ネットワーク装置はＰＵＣＣＨの伝送リソースセットを設定するための設定情報を第１端末装置に送信する。ネットワーク装置はＤＣＩによって第１端末装置にサイドリンク伝送リソースを割り当て、該ＤＣＩは第２指示情報を含んでもよく、前記第２指示情報は上記設定情報と組み合わせてＰＵＣＣＨの伝送リソースを決定することに用いられる。具体的に、例えば、前記第２指示情報は１つのインデックス情報を含み、ネットワークに設定された複数のＰＵＣＣＨ伝送リソースから１つの伝送リソースを決定することに用いられる。又は、前記第２指示情報はＰＵＣＣＨと該ＤＣＩとの時間間隔を示すことに用いられ、更に、ＰＵＣＣＨの周波数領域リソースを示してもよい。従って、フィードバック情報を伝送するために用いたＰＵＣＣＨの伝送リソースを決定することができる。
【００４７】
以上は設定情報がＰＵＣＣＨの伝送リソースセットを設定することに用いられる場合を例として説明したが、具体的に実施するとき、設定情報は更にＰＵＳＣＨの伝送リソースセットを設定することに用いられてもよい。具体的に、ネットワーク装置はＤＣＩによって第１端末装置にサイドリンク伝送リソースを割り当て、該ＤＣＩは第２指示情報を含んでもよく、前記第２指示情報は上記設定情報と組み合わせてＰＵＳＣＨの伝送リソースを決定することに用いられる。具体的に、例えば、前記第２指示情報は１つのインデックス情報を含み、ネットワークに設定された複数のＰＵＳＣＨ伝送リソースから１つの伝送リソースを決定することに用いられる。又は、前記第２指示情報はＰＵＳＣＨと該ＤＣＩとの時間間隔を示すことに用いられ、更に、ＰＵＳＣＨの周波数領域リソースを示してもよい。従って、フィードバック情報を伝送するために用いたＰＵＳＣＨの伝送リソースを決定することができる。
【００４８】
選択肢として、前記第１端末装置がアップリンクデータチャネルの送信を介して前記第１指示情報を前記ネットワーク装置に送信するとき、前記第１指示情報は前記アップリンクデータチャネルをパンクチャリング（ｐｕｎｃｔｕｒｉｎｇ）することにより前記アップリンクデータチャネルに搬送される。前記第１指示情報がＡＣＫ／ＮＡＣＫ情報を含む場合を例として、ネットワーク装置に送信する必要のあるＡＣＫ／ＮＡＣＫ情報を符号化してもよく、符号化後のビットでＰＵＳＣＨチャネルのリソースをパンクチャリングし、即ちＡＣＫ／ＮＡＣＫ符号化後のシンボルでＰＵＳＣＨのデータシンボルを代替する。
【００４９】
例えば、ＬＴＥシステムにおいて、ＰＵＳＣＨのフレーム構造は、サブフレームにおける４番目及び１１番目の時間領域シンボルが復調参照信号（ＤＭＲＳ、ｄｅｍｏｄｕｌａｔｉｏｎ  ｒｅｆｅｒｅｎｃｅ  ｓｉｇｎａｌ）を伝送することに用いられ、４番目及び１１番目の時間領域シンボル以外の他の時間領域シンボルがＰＵＳＣＨを伝送することに用いられてもよいということである。ネットワークが第１端末装置に割り当てたＰＵＳＣＨを伝送するための周波数領域リソースは４つの物理リソースブロック（ＰＲＢ、ｐｈｙｓｉｃａｌ  ｒｅｓｏｕｒｃｅ  ｂｌｏｃｋ）であれば、該第１端末装置はまずＰＵＳＣＨのデータをＤＭＲＳシンボル以外のすべての伝送リソースにマッピングし、次にＡＣＫ／ＮＡＣＫ符号化後のシンボルでＰＵＳＣＨのデータシンボルを代替し、即ちＡＣＫ／ＮＡＣＫシンボルを利用してＰＵＳＣＨデータをパンクチャリングする。例えば、符号化後のＡＣＫ／ＮＡＣＫシンボルで１番目のＤＭＲＳ時間領域シンボルの次のシンボル（即ち、５番目の時間領域シンボル）におけるＰＵＳＣＨデータを代替する。
【００５０】
選択肢として、前記第１端末装置がアップリンクデータチャネルの送信を介して前記第１指示情報を前記ネットワーク装置に送信するとき、前記第１指示情報はレートマッチング方式で前記アップリンクデータチャネルに搬送される。
【００５１】
例えば、端末装置はパラメータ設定（例えば、ＭＣＳ等）に基づいてフィードバック対象の情報の占有したリソース数を決定し、符号化後のフィードバック情報を対応の伝送リソースにマッピングし、ＰＵＳＣＨのデータ及び参照信号を他のリソースにマッピングする。ＰＵＳＣＨのデータが使用できるリソースはネットワークにより割り当てられた伝送リソースのうちの、フィードバック情報の占有したリソース及びパイロット信号等の占有したリソース以外の伝送リソースである。
【００５２】
選択肢として、前記第１端末装置がＳＲの送信を介して前記第１指示情報を前記ネットワーク装置に送信するとき、第１指示情報がＡＣＫ／ＮＡＣＫ情報である場合を例として、ネットワーク装置は第１端末装置に２セットのＳＲリソースを設定し、第１端末装置が１セット目のＳＲリソースにおいてＳＲを送信すれば、第１端末装置の送信したものがＡＣＫ情報であることを示し、第１端末装置が２セット目のＳＲリソースにおいてＳＲを送信すれば、第１端末装置の送信したものがＮＡＣＫ情報であることを示す。上記実施形態によって、第１端末装置はネットワーク装置にＡＣＫ情報又はＮＡＣＫ情報を暗黙的に送信することができる。
【００５３】
選択肢として、前記第１指示情報は更に、前記第２端末装置の識別子情報、グループ識別子情報、第１識別子情報のうちの少なくとも１つを含み、
前記グループ識別子情報は前記第１端末が位置するグループの識別子情報であり、前記第１識別子情報は前記第１端末と前記第２端末がユニキャスト通信を行うリンク識別子情報である。
【００５４】
選択肢として、前記第１指示情報は更に、参照信号受信電力（ＲＳＲＰ、Ｒｅｆｅｒｅｎｃｅ  Ｓｉｇｎａｌ  Ｒｅｃｅｉｖｅｄ  Ｐｏｗｅｒ）、参照信号受信品質（ＲＳＲＱ、Ｒｅｆｅｒｅｎｃｅ  Ｓｉｇｎａｌ  Ｒｅｃｅｉｖｅｄ  Ｑｕａｌｉｔｙ）、受信信号強度指標（ＲＳＳＩ、Ｒｅｃｅｉｖｅｄ  Ｓｉｇｎａｌ  Ｓｔｒｅｎｇｔｈ  Ｉｎｄｉｃａｔｏｒ）、干渉指示情報、経路損失情報のうちの少なくとも１つを含む。
【００５５】
理解されるように、上記解決手段におけるＲＳＲＰはサイドリンクＲＳＲＰであり、ＲＳＲＱはサイドリンクＲＳＲＱであり、ＲＳＳＩはサイドリンクＲＳＳＩであり、干渉指示情報はサイドリンクの干渉を示すことに用いられ、経路損失情報は前記第１端末と前記第２端末との間のサイドリンクの経路損失を示す。
【００５６】
他の実施例では、第１端末装置がステップＳ２０１を実行する前に、前記方法は更に、
第１端末装置は第２端末装置から送信された、第１指示情報を含む第１サイドリンクチャネルを受信するステップＳ２００を含む。
【００５７】
前記第１サイドリンクチャネルは物理サイドリンク制御チャネル（ＰＳＣＣＨ、Ｐｈｙｓｉｃａｌ  Ｓｉｄｅｌｉｎｋ  Ｃｏｎｔｒｏｌ  Ｃｈａｎｎｅｌ）、物理サイドリンク共有チャネル（ＰＳＳＣＨ、Ｐｈｙｓｉｃａｌ  Ｓｉｄｅｌｉｎｋ  Ｓｈａｒｅｄ  Ｃｈａｎｎｅｌ）又はサイドリンクフィードバックチャネル等を伝送することに用いられてもよい。
【００５８】
例えば、第２端末装置は第１端末装置から送信されたサイドリンクデータを受信し、前記第１端末装置にフィードバック情報、例えばＡＣＫ／ＮＡＣＫ情報又はＣＳＩ／ＣＱＩ情報等を送信する。
【００５９】
選択肢として、第２端末装置は第１端末装置から送信されたサイドリンクチャネル又は測定信号を受信し、第１指示情報におけるＣＳＩ、ＣＱＩ、ＲＩ、ＰＭＩ等の情報を取得し、又は、第２端末装置は測定によって第１指示情報に含まれるＲＳＲＰ、ＲＳＲＱ、ＲＳＳＩ、経路損失情報、干渉情報等の情報を取得する。第２端末装置は上記２つの方式のうちのいずれか１つ又は２つで取得した第１指示情報を前記第１サイドリンクチャネルに搬送して第１端末装置に送信し、第１端末装置は第１指示情報をネットワーク装置に送信する。
【００６０】
更なる実施例では、第１端末装置がステップＳ２０１を実行する前に、前記方法は更に、
第１端末装置が前記第２端末装置から送信された第２サイドリンクチャネル及び／又は測定信号を受信し、前記第１端末装置が前記第２サイドリンクチャネル及び／又は測定信号に基づいて前記第１指示情報を取得するステップＳ２００’を含む。
【００６１】
前記第２サイドリンクチャネルはＰＳＣＣＨ、ＰＳＳＣＨ、サイドリンクフィードバックチャネル、物理サイドリンク発見チャネル（ＰＳＤＣＨ、Ｐｈｙｓｉｃａｌ  Ｓｉｄｅｌｉｎｋ  Ｄｉｓｃｏｖｅｒｙ  Ｃｈａｎｎｅｌ）又は参照信号であってもよい。前記参照信号はチャネル状態情報参照信号（ＣＳＩ−ＲＳ、Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）又はサウンディング参照信号（ＳＲＳ、Ｓｏｕｎｄｉｎｇ  Ｒｅｆｅｒｅｎｃｅ  Ｓｉｇｎａｌ）等であってもよい。
【００６２】
前記測定信号は少なくとも、復調参照信号（ＤＭＲＳ、Ｄｅｍｏｄｕｌａｔｉｏｎ  Ｒｅｆｅｒｅｎｃｅ  Ｓｉｇｎａｌ）、チャネル状態情報参照信号（ＣＳＩ−ＲＳ、Ｃｈａｎｎｅｌ  Ｓｔａｔｅ  Ｉｎｄｉｃａｔｏｒ  Ｒｅｆｅｒｅｎｃｅ  Ｓｉｇｎａｌ）、サウンディング参照信号（Ｓｏｕｎｄｉｎｇ  Ｒｅｆｅｒｅｎｃｅ  Ｓｉｇｎａｌ）、位相追従参照信号（ＰＴ−ＲＳ、Ｐｈａｓｅ  Ｔｒａｃｋｉｎｇ  Ｒｅｆｅｒｅｎｃｅ  Ｓｉｇｎａｌ）のうちの少なくとも１つを含む。
【００６３】
具体的に実施するとき、前記第１端末装置は前記第２端末装置から送信された第２サイドリンクチャネル及び／又は測定信号に基づいて、第１指示情報におけるＣＳＩ、ＣＱＩ、ＲＩ、ＰＭＩ等の情報を取得する。又は、前記第１端末装置は前記第２端末装置から送信された第２サイドリンクチャネル及び／又は測定信号に基づいて、前記第１指示情報に含まれるＲＳＲＰ、ＲＳＲＱ、ＲＳＳＩ、経路損失情報、干渉情報等の情報を取得する。ネットワーク装置が効果的で合理的なリソースのスケジューリングを行うために、前記第１端末装置は取得された第１指示情報をネットワーク装置に送信する。
【００６４】
本発明の実施例に係るネットワーク装置に適用される情報伝送方法の選択可能な処理プロセスは図５に示されるように、
ネットワーク装置が第１端末装置から送信された第１指示情報を受信するステップＳ３０１を含む。
【００６５】
具体的に実施するとき、ネットワーク装置が第１端末装置から送信された第１指示情報を受信する具体的な実現方式は少なくとも、
前記ネットワーク装置が第１端末装置から送信された、前記第１指示情報を含むアップリンク制御チャネルを受信すること、又は、
前記ネットワーク装置が第１端末装置から送信された、前記第１指示情報を含むアップリンクデータチャネルを受信すること、又は、
前記ネットワーク装置が第１端末装置から送信された、前記第１情報を搬送するアップリンクＲＲＣシグナリングを受信すること、又は、
前記ネットワーク装置が第１端末装置から送信された、前記第１指示情報を含むＳＲを受信すること、又は、
前記ネットワーク装置が第１端末装置から送信された、前記第１指示情報を含むＢＳＲを受信することを含む。
【００６６】
ここで、前記第１指示情報についての関連説明はステップＳ２０１における前記第１指示情報についての関連説明と同様であり、ネットワーク装置が第１指示情報を取得する方式はステップＳ２０１における第１端末装置が第１指示情報を送信する方式と同様であり、ここで詳細な説明は省略する。
【００６７】
なお、本発明の実施例では、前記第１端末装置は車とモノの通信システムにおけるデータ伝送を行う際のデータ送信端であってもよく、前記第２端末装置は車とモノの通信システムにおけるデータ伝送を行う際のデータ受信端であってもよい。
【００６８】
本発明の実施例は更に通信システムに適用される情報フィードバック方法を提供する。前記通信システムは第１端末装置、第２端末装置及びネットワーク装置を備える。前記第１端末装置は車とモノの通信システムにおけるデータ送信端であり、前記第２端末装置は車とモノの通信システムにおけるデータ受信端である。前記方法は以下のステップを含む。
【００６９】
ステップ１、第２端末装置は第１端末装置に第１指示情報を送信する。
【００７０】
いくつかの実施例では、第２端末装置は前記第１指示情報を含む第１サイドリンクチャネルを第１端末装置に送信する。
【００７１】
他の実施例では、第２端末装置は第１端末装置に第２サイドリンクチャネルを送信し、前記第１端末装置は前記第２サイドリンクチャネルに基づいて前記第１指示情報を取得する。
【００７２】
ここで、前記第１サイドリンクチャネルと前記第２サイドリンクチャネルはＰＳＣＣＨ、ＰＳＳＣＨ又はサイドリンクフィードバックチャネル等であってもよい。
【００７３】
ステップ２、第１端末装置はネットワーク装置に前記第１指示情報を送信する。
【００７４】
ステップ３、ネットワーク装置は第１指示情報を受信する。
【００７５】
本発明の実施例では、ネットワーク装置は受信された第１指示情報に基づいて伝送パラメータを設定し又はリソースを割り当てる。
【００７６】
本発明の実施例は更に第１端末装置を提供し、前記第１端末装置の構造は図６に示されるように、
ネットワーク装置に第１指示情報を送信するように設定される第１送信ユニット４０１を備える。
【００７７】
いくつかの実施例では、前記第１情報は少なくとも下記情報のうちの少なくとも１つを含む。
【００７８】
１）ＡＣＫ／ＮＡＣＫ情報
該ＡＣＫ／ＮＡＣＫ情報は前記第１端末装置から第２端末装置に送信されたサイドリンクデータが前記第２端末装置に正しく受信されたかどうかを示すことに用いられる。
【００７９】
２）ビームインデックス情報
該ビームインデックス情報は前記第１端末装置が前記第２端末装置にサイドリンクデータを送信する際に使用するビームを示すことに用いられる。
【００８０】
３）ＣＱＩ情報
該ＣＱＩ情報は前記第１端末装置と前記第２端末装置との間のチャネル品質を示すことに用いられる。
【００８１】
４）ＣＳＩ情報
該ＣＳＩ情報は前記第１端末装置と前記第２端末装置との間のチャネル状態を示すことに用いられる。
【００８２】
５）ＰＭＩ情報
該ＰＭＩ情報は前記第１端末装置が前記第２端末装置にサイドリンクデータを送信する際に使用するプレコーディング情報を示すことに用いられる。
【００８３】
６）ランク指示情報
該ランク指示情報は前記第１端末装置が前記第２端末装置にサイドリンクデータを送信する際に使用するランク情報を示すことに用いられる。
【００８４】
７）電力指示情報
該電力指示情報は電力の向上又は低下、あるいは電力残量情報を示すことに用いられる。
【００８５】
８）候補リソースセット
前記候補リソースセットは前記第１端末装置がサイドリンクにおいてセンシングにより取得した利用可能な伝送リソースセットである。例えば、ネットワーク装置は第１リソースプールにおいて第１端末装置にサイドリンク伝送リソースを割り当て、ネットワーク装置が前記第１端末装置に伝送リソースを割り当てる前に、前記第１端末装置は前記第１リソースプールにおいてセンシング方式で前記候補リソースセットを決定し、前記候補リソースセットにおける各リソースはいずれも前記第１端末装置によるサイドリンクデータの伝送に使用可能な伝送リソースであり、例えば、前記候補リソースセットは１つのリソース選択ウィンドウにおけるエネルギーの最も低いＮ個の伝送リソースからなる集合である。前記第１端末装置は前記候補リソースセットをネットワーク装置に送信して、ネットワーク装置によるリソーススケジューリングを補助する。
【００８６】
選択肢として、前記第１指示情報は更に、前記第２端末装置の識別子情報、グループ識別子情報、第１識別子情報のうちの少なくとも１つを含む。前記グループ識別子情報は前記第１端末が位置するグループの識別子情報であり、前記第１識別子情報は前記第１端末と前記第２端末がユニキャスト通信を行うリンク識別子情報である。
【００８７】
選択肢として、前記第１指示情報は更に、ＲＳＲＰ、ＲＳＲＱ、ＲＳＳＩ、干渉指示情報及び経路損失情報のうちの少なくとも１つを含む。
【００８８】
一実施例では、前記第１送信ユニット４０１は、前記第１指示情報を含むアップリンク制御チャネルを前記ネットワーク装置に送信するように設定される。
【００８９】
このとき、前記第１端末装置は更に第１受信ユニット４０２を備え、前記第１受信ユニット４０２は第２指示情報を含むダウンリンク制御情報を受信するように設定され、前記第２指示情報は前記アップリンク制御チャネルの伝送リソースを決定することに用いられ、前記ダウンリンク制御情報は前記第１端末装置にサイドリンク伝送リソースを割り当てることに用いられる。
【００９０】
一実施例では、前記第１送信ユニット４０１は、前記第１指示情報を含むアップリンクデータチャネルを前記ネットワーク装置に送信するように設定される。
【００９１】
前記第１指示情報は前記アップリンクデータチャネルをパンクチャリングすることにより前記アップリンクデータチャネルに搬送される。又は、前記第１指示情報はレートマッチング方式で前記アップリンクデータチャネルに搬送される。
【００９２】
一実施例では、前記第１送信ユニット４０１は、前記第１情報を搬送するアップリンク無線リソース制御シグナリングを前記ネットワーク装置に送信するように設定される。
【００９３】
一実施例では、前記第１送信ユニット４０１は、前記第１指示情報を含むスケジューリング要求をネットワーク装置に送信するように設定される。
【００９４】
一実施例では、前記第１送信ユニット４０１は、前記第１指示情報を含むバッファ状態報告をネットワーク装置に送信するように設定される。
【００９５】
一実施例では、前記第１端末装置は更に、前記第２端末装置から送信された、前記第１指示情報を含む第１サイドリンクチャネルを受信するように設定される第２受信ユニット４０３を備える。
【００９６】
一実施例では、前記第１端末装置は更に第３受信ユニット４０４を備え、前記第３受信ユニット４０４は前記第２端末装置から送信された第２サイドリンクチャネル及び／又は測定信号を受信するように設定され、前記第１端末装置は前記第２サイドリンクチャネル及び／又は測定信号に基づいて前記第１指示情報を取得する。
【００９７】
前記第１サイドリンクチャネルと前記第２サイドリンクチャネルはＰＳＣＣＨ、ＰＳＳＣＨ又はサイドリンクフィードバックチャネル等であってもよい。
【００９８】
本発明の実施例は更にネットワーク装置を提供し、前記ネットワーク装置の構造は図７に示されるように、第４受信ユニット５０１を備え、
前記第４受信ユニット５０１は、第１端末装置から送信された、第１情報を含む第１指示情報を受信するように設定され、前記第１情報は前記ネットワーク装置が伝送パラメータを設定し又はリソースを割り当てることに用いられる。
【００９９】
いくつかの実施例では、前記第１情報は少なくとも下記情報のうちの少なくとも１つを含む。
【０１００】
１）ＡＣＫ／ＮＡＣＫ情報
該ＡＣＫ／ＮＡＣＫ情報は前記第１端末装置から第２端末装置に送信されたサイドリンクデータが前記第２端末装置に正しく受信されたかどうかを示すことに用いられる。
【０１０１】
２）ビームインデックス情報
該ビームインデックス情報は前記第１端末装置が前記第２端末装置にサイドリンクデータを送信する際に使用するビームを示すことに用いられる。
【０１０２】
３）ＣＱＩ情報
該ＣＱＩ情報は前記第１端末装置と前記第２端末装置との間のチャネル品質を示すことに用いられる。
【０１０３】
４）ＣＳＩ情報
該ＣＳＩ情報は前記第１端末装置と前記第２端末装置との間のチャネル状態を示すことに用いられる。
【０１０４】
５）ＰＭＩ情報
該ＰＭＩ情報は前記第１端末装置が前記第２端末装置にサイドリンクデータを送信する際に使用するプレコーディング情報を示すことに用いられる。
【０１０５】
６）ランク指示情報
該ランク指示情報は前記第１端末装置が前記第２端末装置にサイドリンクデータを送信する際に使用するランク情報を示すことに用いられる。
【０１０６】
７）電力指示情報
該電力指示情報は電力の向上又は低下、あるいは電力残量情報を示すことに用いられる。
【０１０７】
８）候補リソースセット
前記候補リソースセットは前記第１端末装置がサイドリンクにおいてセンシングにより取得した利用可能な伝送リソースセットである。例えば、ネットワーク装置は第１リソースプールにおいて第１端末装置にサイドリンク伝送リソースを割り当て、ネットワーク装置が前記第１端末装置に伝送リソースを割り当てる前に、前記第１端末装置は前記第１リソースプールにおいてセンシング方式で前記候補リソースセットを決定し、前記候補リソースセットにおける各リソースはいずれも前記第１端末装置によるサイドリンクデータの伝送に使用可能な伝送リソースであり、例えば、前記候補リソースセットは１つのリソース選択ウィンドウにおけるエネルギーの最も低いＮ個の伝送リソースからなる集合である。前記第１端末装置は前記候補リソースセットをネットワーク装置に送信して、ネットワーク装置によるリソーススケジューリングを補助する。
【０１０８】
選択肢として、前記第１指示情報は更に、前記第２端末装置の識別子情報、グループ識別子情報、第１識別子情報のうちの少なくとも１つを含む。
【０１０９】
前記グループ識別子情報は前記第１端末が位置するグループの識別子情報であり、前記第１識別子情報は前記第１端末と前記第２端末がユニキャスト通信を行うリンク識別子情報である。
【０１１０】
選択肢として、前記第１指示情報は更に、ＲＳＲＰ、ＲＳＲＱ、ＲＳＳＩ、干渉指示情報及び経路損失情報のうちの少なくとも１つを含む。
【０１１１】
一実施例では、前記第４受信ユニット５０１は、第１端末装置から送信された、前記第１指示情報を含むアップリンク制御チャネルを受信するように設定される。
【０１１２】
このとき、前記ネットワーク装置は更に第２送信ユニット５０２を備え、前記第２送信ユニット５０２は第２指示情報を含むダウンリンク制御情報を前記第１端末装置に送信するように設定され、前記第２指示情報は前記アップリンク制御チャネルの伝送リソースを決定することに用いられる。前記ダウンリンク制御情報は前記第１端末装置にサイドリンク伝送リソースを割り当てることに用いられる。
【０１１３】
一実施例では、前記第４受信ユニット５０１は、第１端末装置から送信された、前記第１指示情報を含むアップリンクデータチャネルを受信するように設定される。
【０１１４】
前記第１指示情報は前記アップリンクデータチャネルをパンクチャリングすることにより前記アップリンクデータチャネルに搬送される。又は、前記第１指示情報はレートマッチング方式で前記アップリンクデータチャネルに搬送される。
【０１１５】
一実施例では、前記第４受信ユニット５０１は、第１端末装置から送信された、前記第１情報を搬送するアップリンク無線リソース制御シグナリングを受信するように設定される。
【０１１６】
一実施例では、前記第４受信ユニット５０１は、第１端末装置から送信された、前記第１指示情報を含むＳＲを受信するように設定される。
【０１１７】
一実施例では、前記第４受信ユニット５０１は、第１端末装置から送信された、前記第１指示情報を含むＢＳＲを受信するように設定される。
【０１１８】
本発明の上記実施例では、第１情報はいずれも第１端末装置と第２端末装置との間に伝送されるサイドリンクデータに対するフィードバック情報であり、第２端末装置はフィードバック情報を第１端末装置に送信し、第１端末装置はフィードバック情報をネットワーク装置に送信する。それにより、ＮＲ  Ｖ２Ｘにおいて、データ送信端はサイドリンクデータに対するフィードバック情報をネットワーク装置に送信することで、ネットワーク装置はフィードバック情報に基づいてリソースをスケジューリングし又は伝送パラメータを設定することができる。
【０１１９】
本発明の実施例は更に端末装置を提供し、該端末装置はプロセッサと、プロセッサにおいて実行できるコンピュータプログラムを記憶することに用いられるメモリと、を備え、前記プロセッサは前記コンピュータプログラムを実行するとき、上記第１端末装置の実行する情報フィードバック方法におけるステップを実行することに用いられる。
【０１２０】
本発明の実施例は更にネットワーク装置を提供し、該ネットワーク装置はプロセッサと、プロセッサにおいて実行できるコンピュータプログラムを記憶することに用いられるメモリと、を備え、前記プロセッサは前記コンピュータプログラムを実行するとき、上記ネットワーク装置の実行する情報フィードバック方法におけるステップを実行することに用いられる。
【０１２１】
図８は本発明の実施例の電子装置（ネットワーク装置又は第１端末装置）のハードウェアの要部構成の模式図である。電子装置７００は少なくとも１つのプロセッサ７０１、メモリ７０２及び少なくとも１つのネットワークインターフェース７０４を備える。電子装置７００の各コンポーネントはバスシステム７０５により一体に結合される。理解されるように、バスシステム７０５はこれらのコンポーネント同士の接続通信を実現することに用いられる。バスシステム７０５はデータバスのほか、更に電源バス、制御バス及び状態信号バスを含むが、明確に説明するために、図８において様々なバスはいずれもバスシステム７０５と記される。
【０１２２】
理解されるように、メモリ７０２は揮発性メモリ又は不揮発性メモリであってもよく、又は、揮発性メモリ及び不揮発性メモリの両方を含んでもよい。不揮発性メモリはＲＯＭ、プログラム可能読み出し専用メモリ（ＰＲＯＭ、Ｐｒｏｇｒａｍｍａｂｌｅ  Ｒｅａｄ−Ｏｎｌｙ  Ｍｅｍｏｒｙ）、消去可能プログラム可能読み出し専用メモリ（ＥＰＲＯＭ、Ｅｒａｓａｂｌｅ  Ｐｒｏｇｒａｍｍａｂｌｅ  Ｒｅａｄ−Ｏｎｌｙ  Ｍｅｍｏｒｙ）、電気的消去可能プログラム可能読み出し専用メモリ（ＥＥＰＲＯＭ、Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、強磁性ランダムアクセスメモリ（ＦＲＡＭ、ｆｅｒｒｏｍａｇｎｅｔｉｃ  ｒａｎｄｏｍ  ａｃｃｅｓｓ  ｍｅｍｏｒｙ）、フラッシュメモリ（Ｆｌａｓｈ  Ｍｅｍｏｒｙ）、磁気メモリ、光ディスク、又はコンパクトディスク読み取り専用メモリ（ＣＤ−ＲＯＭ、Ｃｏｍｐａｃｔ  Ｄｉｓｃ  Ｒｅａｄ−Ｏｎｌｙ  Ｍｅｍｏｒｙ）であってもよい。磁気メモリはディスクメモリ又は磁気テープメモリであってもよい。揮発性メモリは外部キャッシュメモリとして使用されるランダムアクセスメモリ（ＲＡＭ、Ｒａｎｄｏｍ  Ａｃｃｅｓｓ  Ｍｅｍｏｒｙ）であってもよい。例示的な説明であって制限的ではないが、多くの形式のＲＡＭ、例えばスタティックランダムアクセスメモリ（ＳＲＡＭ、Ｓｔａｔｉｃ  Ｒａｎｄｏｍ  Ａｃｃｅｓｓ  Ｍｅｍｏｒｙ）、シンクロナススタティックランダムアクセスメモリ（ＳＳＲＡＭ、Ｓｙｎｃｈｒｏｎｏｕｓ  Ｓｔａｔｉｃ  Ｒａｎｄｏｍ  Ａｃｃｅｓｓ  Ｍｅｍｏｒｙ）、ダイナミックランダムアクセスメモリ（ＤＲＡＭ、Ｄｙｎａｍｉｃ  Ｒａｎｄｏｍ  Ａｃｃｅｓｓ  Ｍｅｍｏｒｙ）、シンクロナスダイナミックランダムアクセスメモリ（ＳＤＲＡＭ、Ｓｙｎｃｈｒｏｎｏｕｓ  Ｄｙｎａｍｉｃ  Ｒａｎｄｏｍ  Ａｃｃｅｓｓ  Ｍｅｍｏｒｙ）、ダブルデータレートシンクロナスダイナミックランダムアクセスメモリ（ＤＤＲＳＤＲＡＭ、Ｄｏｕｂｌｅ  Ｄａｔａ  Ｒａｔｅ  Ｓｙｎｃｈｒｏｎｏｕｓ  Ｄｙｎａｍｉｃ  Ｒａｎｄｏｍ  Ａｃｃｅｓｓ  Ｍｅｍｏｒｙ）、拡張型シンクロナスダイナミックランダムアクセスメモリ（ＥＳＤＲＡＭ、Ｅｎｈａｎｃｅｄ  Ｓｙｎｃｈｒｏｎｏｕｓ  Ｄｙｎａｍｉｃ  Ｒａｎｄｏｍ  Ａｃｃｅｓｓ  Ｍｅｍｏｒｙ）、シンクリンクダイナミックランダムアクセスメモリ（ＳＬＤＲＡＭ、ＳｙｎｃＬｉｎｋ  Ｄｙｎａｍｉｃ  Ｒａｎｄｏｍ  Ａｃｃｅｓｓ  Ｍｅｍｏｒｙ）、ダイレクトラムバスランダムアクセスメモリ（ＤＲＲＡＭ、Ｄｉｒｅｃｔ  Ｒａｍｂｕｓ  Ｒａｎｄｏｍ  Ａｃｃｅｓｓ  Ｍｅｍｏｒｙ）は利用可能である。本発明の実施例に説明されるメモリ７０２はこれらのメモリ及び任意の他の適切なタイプのメモリを含むが、それらに限らないように意図されるものである。
【０１２３】
本発明の実施例では、電子装置７００の操作をサポートするために、メモリ７０２は様々なタイプのデータを記憶することに用いられる。これらのデータの例は、電子装置７００において操作するためのいかなるコンピュータプログラム、例えばアプリケーションプログラム７０２２を含む。本発明の実施例の方法を実現するプログラムはアプリケーションプログラム７０２２に含まれてもよい。
【０１２４】
上記本発明の実施例に開示される方法はプロセッサ７０１に適用されてもよく、プロセッサ７０１により実現されてもよい。プロセッサ７０１は信号処理機能を有する集積回路チップでありうる。実現過程において、上記方法の各ステップはプロセッサ７０１におけるハードウェアの集積論理回路又はソフトウェア形式の命令で行われてもよい。上記プロセッサ７０１は汎用プロセッサ、デジタルシグナルプロセッサ（ＤＳＰ、Ｄｉｇｉｔａｌ  Ｓｉｇｎａｌ  Ｐｒｏｃｅｓｓｏｒ）又は他のプログラマブルロジックデバイス、個別ゲート又はトランジスタロジックデバイス、個別ハードウェアコンポーネント等であってもよい。プロセッサ７０１は本発明の実施例に開示される各方法、ステップ及び論理ブロックを実現又は実行することができる。汎用プロセッサはマイクロプロセッサ、又はいかなる通常のプロセッサ等であってもよい。本発明の実施例に開示される方法のステップはハードウェア復号プロセッサで遂行し、又は復号プロセッサにおけるハードウェア及びソフトウェアモジュールの組み合わせで遂行するように直接具現されてもよい。ソフトウェアモジュールは記憶媒体に位置してもよく、該記憶媒体はメモリ７０２に位置し、プロセッサ７０１はメモリ７０２における情報を読み取り、そのハードウェアと組み合わせて上記方法のステップを行う。
【０１２５】
例示的な実施例では、上記方法を実行するために、電子装置７００は１つ又は複数の特定用途向け集積回路（ＡＳＩＣ、Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ、プログラマブルロジックデバイス（ＰＬＤ、Ｐｒｏｇｒａｍｍａｂｌｅ  Ｌｏｇｉｃ  Ｄｅｖｉｃｅ）、複合プログラマブルロジックデバイス（ＣＰＬＤ、Ｃｏｍｐｌｅｘ  Ｐｒｏｇｒａｍｍａｂｌｅ  Ｌｏｇｉｃ  Ｄｅｖｉｃｅ）、ＦＰＧＡ、汎用プロセッサ、コントローラ、ＭＣＵ、ＭＰＵ又は他の電子部品により実現されてもよい。
【０１２６】
本願の実施例は更にコンピュータ可読記憶媒体を提供し、該媒体はコンピュータプログラムを記憶することに用いられる。
【０１２７】
選択肢として、該コンピュータ可読記憶媒体は本願の実施例のネットワーク装置に適用されてもよく、且つ該コンピュータプログラムによってコンピュータが本願の実施例の各方法におけるネットワーク装置の実現する対応プロセスを実行する。簡潔のために、ここで詳細な説明は省略する。
【０１２８】
選択肢として、該コンピュータ可読記憶媒体は本願の実施例の端末装置に適用されてもよく、且つ該コンピュータプログラムによってコンピュータが本願の実施例の各方法における端末装置の実現する対応プロセスを実行する。簡潔のために、ここで詳細な説明は省略する。
【０１２９】
理解されるように、上記実施例では、「／」が「又は」を意味し、例えば「Ａ／Ｂ」が「Ａ又はＢ」を示す。
【０１３０】
本発明は本発明の実施例に係る方法、装置（システム）及びコンピュータプログラム製品のフローチャート及び／又はブロック図を参照して説明したものである。理解されるように、コンピュータプログラム命令によってフローチャート及び／又はブロック図における各プロセス及び／又はブロック、並びにフローチャート及び／又はブロック図におけるプロセス及び／又はブロックの組み合わせを実現できる。これらのコンピュータプログラム命令を汎用コンピュータ、専用コンピュータ、組み込みプロセッサ又は他のプログラマブルデータ処理装置のプロセッサに提供して、１つのマシンを生成することができる。それにより、コンピュータ又は他のプログラマブルデータ処理装置のプロセッサの実行した命令によって、フローチャートにおける１つのプロセス又は複数のプロセス及び／又はブロック図における１つのブロック又は複数のブロックにおいて指定された機能を実現するための装置を生成する。
【０１３１】
これらのコンピュータプログラム命令はコンピュータ又は他のプログラマブルデータ処理装置が特定の方式で動作するように案内できるコンピュータ可読メモリに記憶されてもよい。それにより、該コンピュータ可読メモリに記憶される命令は命令装置を備える製造品を生成し、該命令装置はフローチャートにおける１つのプロセス又は複数のプロセス及び／又はブロック図における１つのブロック又は複数のブロックにおいて指定された機能を実現する。
【０１３２】
これらのコンピュータプログラム命令は更にコンピュータ又は他のプログラマブルデータ処理装置にアップロードされてもよい。それにより、コンピュータ又は他のプログラマブル装置において一連の操作ステップを実行することでコンピュータの実現する処理を生成し、これにより、コンピュータ又は他のプログラマブル装置において実行される命令はフローチャートにおける１つのプロセス又は複数のプロセス及び／又はブロック図における１つのブロック又は複数のブロックにおいて指定された機能を実現するためのステップを提供する。
【０１３３】
以上の説明は本発明の好適な実施例に過ぎず、本発明の保護範囲を制限するためのものではない。本発明の趣旨や原則内に行われるいかなる修正、等価置換及び改良等は、いずれも本発明の保護範囲内に含まれるべきである。
【図１】
2022500906.tif 000003
【図２】
2022500906.tif 000004
【図３】
2022500906.tif 000005
【図４】
2022500906.tif 000006
【図５】
2022500906.tif 000007
【図６】
2022500906.tif 000008
【図７】
2022500906.tif 000009
【図８】
2022500906.tif 000010
【手続補正書】
【提出日】令和3年3月9日(2021.3.9)
【手続補正１】
【補正対象書類名】明細書
【補正対象項目名】０００９
【補正方法】変更
【補正の内容】
【０００９】
第５態様では、本発明の実施例は端末装置を提供し、前記端末装置はプロセッサと、プロセッサにおいて実行できるコンピュータプログラムを記憶することに用いられるメモリと、を備え、前記プロセッサは前記コンピュータプログラムを実行するとき、上記第１端末装置の実行する情報伝送方法におけるステップを実行することに用いられる。
【手続補正２】
【補正対象書類名】明細書
【補正対象項目名】００１０
【補正方法】変更
【補正の内容】
【００１０】
第６態様では、本発明の実施例はネットワーク装置を提供し、前記ネットワーク装置はプロセッサと、プロセッサにおいて実行できるコンピュータプログラムを記憶することに用いられるメモリと、を備え、前記プロセッサは前記コンピュータプログラムを実行するとき、上記ネットワーク装置の実行する情報伝送方法におけるステップを実行することに用いられる。
【手続補正３】
【補正対象書類名】明細書
【補正対象項目名】００１１
【補正方法】変更
【補正の内容】
【００１１】
第７態様では、本発明の実施例は記憶媒体を提供し、前記記憶媒体に実行可能プログラムが記憶され、前記実行可能プログラムがプロセッサにより実行されるとき、上記第１端末装置の実行する情報伝送方法を実現する。
【手続補正４】
【補正対象書類名】明細書
【補正対象項目名】００１２
【補正方法】変更
【補正の内容】
【００１２】
第８態様では、本発明の実施例は記憶媒体を提供し、前記記憶媒体に実行可能プログラムが記憶され、前記実行可能プログラムがプロセッサにより実行されるとき、上記ネットワーク装置の実行する情報伝送方法を実現する。
【手続補正５】
【補正対象書類名】明細書
【補正対象項目名】００１３
【補正方法】変更
【補正の内容】
【００１３】
本発明の実施例に係る情報伝送方法、装置及び記憶媒体によれば、第１端末装置はネットワーク装置に第１指示情報を送信し、前記第１指示情報は第１情報を含み、前記第１情報は第１端末装置と第２端末装置との間に伝送されるサイドリンクデータに対するフィードバック情報である。このように、ＮＲ  Ｖ２Ｘにおいて、データ送信端はサイドリンクデータに対するフィードバック情報をネットワーク装置に送信し、それにより前記ネットワーク装置は前記第１情報に基づいてリソースをスケジューリングし又は伝送パラメータを設定することができる。
【手続補正６】
【補正対象書類名】明細書
【補正対象項目名】００３０
【補正方法】変更
【補正の内容】
【００３０】
ＮＲ−Ｖ２Ｘにおいて、更に複数の伝送方式、例えばユニキャスト（ｕｎｉｃａｓｔ）、グループキャスト（ｍｕｌｔｉｃａｓｔ）、ブロードキャスト（ｂｒｏａｄｃａｓｔ）をサポートする必要がある。ユニキャスト伝送を行うとき、データ受信端末装置はデータ送信端末装置にフィードバック情報、例えば肯定応答／否定応答（ＡＣＫ／ＮＡＣＫ）情報、チャネル品質指標（ＣＱＩ、Ｃｈａｎｎｅｌ  Ｑｕａｌｉｔｙ  Ｉｎｄｉｃａｔｏｒ）情報等を送信する必要があり、データ送信端末装置はデータ受信端末装置のフィードバック情報に基づいて変調符号化方式（ＭＣＳ、Ｍｏｄｕｌａｔｉｏｎ  ａｎｄ  Ｃｏｄｉｎｇ  Ｓｃｈｅｍｅ）レベルを調整して、再送信等を行う必要があるかどうかを判断することができる。
【手続補正７】
【補正対象書類名】明細書
【補正対象項目名】００４４
【補正方法】変更
【補正の内容】
【００４４】
例えば、前記第１指示情報に含まれるビット数が２以下である場合、第１ＰＵＣＣＨフォーマットで前記第１指示情報を搬送してもよい。前記第１指示情報に含まれるビット数が２より大きい場合、第２ＰＵＣＣＨフォーマットで前記第１指示情報を搬送してもよい。
【手続補正８】
【補正対象書類名】明細書
【補正対象項目名】００５３
【補正方法】変更
【補正の内容】
【００５３】
選択肢として、前記第１指示情報は更に、前記第２端末装置の識別子情報、グループ識別子情報、第１識別子情報のうちの少なくとも１つを含み、
前記グループ識別子情報は前記第１端末装置が位置するグループの識別子情報であり、前記第１識別子情報は前記第１端末装置と前記第２端末装置がユニキャスト通信を行うリンク識別子情報である。
【手続補正９】
【補正対象書類名】明細書
【補正対象項目名】００５５
【補正方法】変更
【補正の内容】
【００５５】
理解されるように、上記解決手段におけるＲＳＲＰはサイドリンクＲＳＲＰであり、ＲＳＲＱはサイドリンクＲＳＲＱであり、ＲＳＳＩはサイドリンクＲＳＳＩであり、干渉指示情報はサイドリンクの干渉を示すことに用いられ、経路損失情報は前記第１端末装置と前記第２端末装置との間のサイドリンクの経路損失を示す。
【手続補正１０】
【補正対象書類名】明細書
【補正対象項目名】００６８
【補正方法】変更
【補正の内容】
【００６８】
本発明の実施例は更に通信システムに適用される情報伝送方法を提供する。前記通信システムは第１端末装置、第２端末装置及びネットワーク装置を備える。前記第１端末装置は車とモノの通信システムにおけるデータ送信端であり、前記第２端末装置は車とモノの通信システムにおけるデータ受信端である。前記方法は以下のステップを含む。
【手続補正１１】
【補正対象書類名】明細書
【補正対象項目名】００８６
【補正方法】変更
【補正の内容】
【００８６】
選択肢として、前記第１指示情報は更に、前記第２端末装置の識別子情報、グループ識別子情報、第１識別子情報のうちの少なくとも１つを含む。前記グループ識別子情報は前記第１端末装置が位置するグループの識別子情報であり、前記第１識別子情報は前記第１端末装置と前記第２端末装置がユニキャスト通信を行うリンク識別子情報である。
【手続補正１２】
【補正対象書類名】明細書
【補正対象項目名】００９６
【補正方法】変更
【補正の内容】
【００９６】
一実施例では、前記第１端末装置は更に第３受信ユニット４０４を備え、前記第３受信ユニット４０４は前記第２端末装置から送信された第２サイドリンクチャネル及び／又は測定信号を受信するように設定され、前記第２サイドリンクチャネル及び／又は測定信号に基づいて前記第１指示情報を取得する。
【手続補正１３】
【補正対象書類名】明細書
【補正対象項目名】０１０９
【補正方法】変更
【補正の内容】
【０１０９】
前記グループ識別子情報は前記第１端末装置が位置するグループの識別子情報であり、前記第１識別子情報は前記第１端末装置と前記第２端末装置がユニキャスト通信を行うリンク識別子情報である。
【手続補正１４】
【補正対象書類名】明細書
【補正対象項目名】０１１９
【補正方法】変更
【補正の内容】
【０１１９】
本発明の実施例は更に端末装置を提供し、該端末装置はプロセッサと、プロセッサにおいて実行できるコンピュータプログラムを記憶することに用いられるメモリと、を備え、前記プロセッサは前記コンピュータプログラムを実行するとき、上記第１端末装置の実行する情報伝送方法におけるステップを実行することに用いられる。
【手続補正１５】
【補正対象書類名】明細書
【補正対象項目名】０１２０
【補正方法】変更
【補正の内容】
【０１２０】
本発明の実施例は更にネットワーク装置を提供し、該ネットワーク装置はプロセッサと、プロセッサにおいて実行できるコンピュータプログラムを記憶することに用いられるメモリと、を備え、前記プロセッサは前記コンピュータプログラムを実行するとき、上記ネットワーク装置の実行する情報伝送方法におけるステップを実行することに用いられる。
【手続補正１６】
【補正対象書類名】特許請求の範囲
【補正対象項目名】全文
【補正方法】変更
【補正の内容】
【特許請求の範囲】
【請求項１】
情報伝送方法であって、
第１端末装置が第２端末装置から送信された第２サイドリンクチャネルを受信し、前記第１端末装置が前記第２サイドリンクチャネルの情報に基づいて第１情報を取得することと、
前記第１端末装置がネットワーク装置に第１情報を送信することと、を含み、
前記第１情報は肯定応答／否定応答（ＡＣＫ／ＮＡＣＫ）情報、ビームインデックス情報、チャネル品質指標（ＣＱＩ）情報、チャネル状態指標（ＣＳＩ）情報、プリコーディング行列指標（ＰＭＩ）情報、ランク指示情報、電力指示情報のうちの少なくとも１つを含み、
前記ＡＣＫ／ＮＡＣＫ情報は前記第１端末装置から第２端末装置に送信されたサイドリンクデータが前記第２端末装置に正しく受信されたかどうかを示すことに用いられ、
前記ビームインデックス情報は前記第１端末装置が前記第２端末装置にサイドリンクデータを送信する際に使用するビームを示すことに用いられ、
前記ＣＱＩ情報は前記第１端末装置と前記第２端末装置との間のチャネル品質を示すことに用いられ、
前記ＣＳＩ情報は前記第１端末装置と前記第２端末装置との間のチャネル状態を示すことに用いられ、
前記ＰＭＩ情報は前記第１端末装置が前記第２端末装置にサイドリンクデータを送信する際に使用するプレコーディング情報を示すことに用いられ、
前記ランク指示情報は前記第１端末装置が前記第２端末装置にサイドリンクデータを送信する際に使用するランク情報を示すことに用いられ、
前記電力指示情報は電力の向上又は低下、あるいは電力残量情報を示すことに用いられる情報伝送方法。
【請求項２】
前記第１端末装置がネットワーク装置に第１情報を送信することは、
前記第１端末装置は前記第１情報を含むアップリンク制御チャネル（ＰＵＣＣＨ）を前記ネットワーク装置に送信することを含む請求項１に記載の方法。
【請求項３】
前記方法は更に、
前記第１端末装置は第２指示情報を含むダウンリンク制御情報を受信し、前記第２指示情報は前記ＰＵＣＣＨの伝送リソースを決定することに用いられることを含む請求項２に記載の方法。
【請求項４】
前記第２指示情報は前記ＰＵＣＣＨの伝送リソースを決定することに用いられることは、
前記第２指示情報はインデックス情報を含み、前記インデックス情報はネットワーク装置に設定された複数のＰＵＣＣＨ伝送リソースから１つの伝送リソースを決定することに用いられることを含む請求項３に記載の方法。
【請求項５】
前記ダウンリンク制御情報は前記第１端末装置にサイドリンク伝送リソースを割り当てることに用いられる請求項３又は４に記載の方法。
【請求項６】
前記第１端末装置がネットワーク装置に第１情報を送信することは、
前記第１端末装置は前記第１情報を含むアップリンクデータチャネル（ＰＵＳＣＨ）を前記ネットワーク装置に送信することを含む請求項１に記載の方法。
【請求項７】
前記第２サイドリンクチャネルはサイドリンクフィードバックチャネルを含む請求項１〜６のいずれか１項に記載の方法。
【請求項８】
情報伝送方法であって、
ネットワーク装置は第１端末装置から送信された第１情報を受信し、第２端末装置から送信された第２サイドリンクチャネルは前記第１端末装置により受信され、前記第１情報は前記第１端末装置が前記第２サイドリンクチャネルの情報に基づいて取得され、前記第１情報は前記ネットワーク装置が伝送パラメータを設定し又はリソースを割り当てることに用いられることを含み、
前記第１情報は、肯定応答／否定応答（ＡＣＫ／ＮＡＣＫ）情報、ビームインデックス情報、チャネル品質指標（ＣＱＩ）情報、チャネル状態指標（ＣＳＩ）情報、プリコーディング行列指標（ＰＭＩ）情報、ランク指示情報、電力指示情報のうちの少なくとも１つを含み、
前記ＡＣＫ／ＮＡＣＫ情報は前記第１端末装置から第２端末装置に送信されたサイドリンクデータが前記第２端末装置に正しく受信されたかどうかを示すことに用いられ、
前記ビームインデックス情報は前記第１端末装置が前記第２端末装置にサイドリンクデータを送信する際に使用するビームを示すことに用いられ、
前記ＣＱＩ情報は前記第１端末装置と前記第２端末装置との間のチャネル品質を示すことに用いられ、
前記ＣＳＩ情報は前記第１端末装置と前記第２端末装置との間のチャネル状態を示すことに用いられ、
前記ＰＭＩ情報は前記第１端末装置が前記第２端末装置にサイドリンクデータを送信する際に使用するプレコーディング情報を示すことに用いられ、
前記ランク指示情報は前記第１端末装置が前記第２端末装置にサイドリンクデータを送信する際に使用するランク情報を示すことに用いられ、
前記電力指示情報は電力の向上又は低下、あるいは電力残量情報を示すことに用いられる情報伝送方法。
【請求項９】
前記ネットワーク装置が第１情報を受信することは、
前記ネットワーク装置は第１端末装置から送信された、前記第１情報を含むアップリンク制御チャネル（ＰＵＣＣＨ）を受信することを含む請求項８に記載の方法。
【請求項１０】
前記方法は更に、
前記ネットワーク装置は第２指示情報を含むダウンリンク制御情報を前記第１端末装置に送信し、前記第２指示情報は前記ＰＵＣＣＨの伝送リソースを決定することに用いられることを含む請求項９に記載の方法。
【請求項１１】
前記第２指示情報は前記ＰＵＣＣＨの伝送リソースを決定することに用いられることは、
前記第２指示情報はインデックス情報を含み、前記インデックス情報はネットワーク装置に設定された複数のＰＵＣＣＨ伝送リソースから１つの伝送リソースを決定することに用いられることを含む請求項１０に記載の方法。
【請求項１２】
前記ダウンリンク制御情報は前記第１端末装置にサイドリンク伝送リソースを割り当てることに用いられる請求項１０又は１１に記載の方法。
【請求項１３】
前記ネットワーク装置が第１情報を受信することは、
前記ネットワーク装置は第１端末装置から送信された、前記第１情報を含むアップリンクデータチャネル（ＰＵＳＣＨ）を受信することを含む請求項８に記載の方法。
【請求項１４】
前記第２サイドリンクチャネルはサイドリンクフィードバックチャネルを含む請求項８〜１３のいずれか１項に記載の方法。
【請求項１５】
第１端末装置であって、第３受信ユニットと第１送信ユニットを備え、
前記第３受信ユニットは、第２端末装置から送信された第２サイドリンクチャネルを受信し、前記第２サイドリンクチャネルの情報に基づいて第１情報を取得するように設定され、
前記第１送信ユニットは、第１情報をネットワーク装置に送信するように設定され、
前記第１情報は肯定応答／否定応答（ＡＣＫ／ＮＡＣＫ）情報、ビームインデックス情報、チャネル品質指標（ＣＱＩ）情報、チャネル状態指標（ＣＳＩ）情報、プリコーディング行列指標（ＰＭＩ）情報、ランク指示情報、電力指示情報のうちの少なくとも１つを含み、
前記肯定応答／否定応答（ＡＣＫ／ＮＡＣＫ）情報は前記第１端末装置から第２端末装置に送信されたサイドリンクデータが前記第２端末装置に正しく受信されたかどうかを示すことに用いられ、
前記ビームインデックス情報は前記第１端末装置が前記第２端末装置にサイドリンクデータを送信する際に使用するビームを示すことに用いられ、
前記ＣＱＩ情報は前記第１端末装置と前記第２端末装置との間のチャネル品質を示すことに用いられ、
前記ＣＳＩ情報は前記第１端末装置と前記第２端末装置との間のチャネル状態を示すことに用いられ、
前記ＰＭＩ情報は前記第１端末装置が前記第２端末装置にサイドリンクデータを送信する際に使用するプレコーディング情報を示すことに用いられ、
前記ランク指示情報は前記第１端末装置が前記第２端末装置にサイドリンクデータを送信する際に使用するランク情報を示すことに用いられ、
前記電力指示情報は電力の向上又は低下、あるいは電力残量情報を示すことに用いられる第１端末装置。
【請求項１６】
前記第１送信ユニットは、前記第１情報を含むアップリンク制御チャネル（ＰＵＣＣＨ）を前記ネットワーク装置に送信するように設定される請求項１５に記載の第１端末装置。
【請求項１７】
第１受信ユニットを更に備え、
前記第１受信ユニットは、第２指示情報を含むダウンリンク制御情報を受信するように設定され、前記第２指示情報は前記ＰＵＣＣＨの伝送リソースを決定することに用いられる請求項１６に記載の第１端末装置。
【請求項１８】
前記第２指示情報は前記ＰＵＣＣＨの伝送リソースを決定することに用いられることは、
前記第２指示情報はインデックス情報を含み、前記インデックス情報はネットワーク装置に設定された複数のＰＵＣＣＨ伝送リソースから１つの伝送リソースを決定することに用いられることを含む請求項１７に記載の方法。
【請求項１９】
前記ダウンリンク制御情報は前記第１端末装置にサイドリンク伝送リソースを割り当てることに用いられる請求項１７又は１８に記載の第１端末装置。
【請求項２０】
前記第１送信ユニットは、前記第１情報を含むアップリンクデータチャネル（ＰＵＳＣＨ）を前記ネットワーク装置に送信するように設定される請求項１５に記載の第１端末装置。
【請求項２１】
前記第２サイドリンクチャネルはサイドリンクフィードバックチャネルを含む請求項１５〜２０のいずれか１項に記載の方法。
【国際調査報告】
2022500906.tif 000011
2022500906.tif 000012
2022500906.tif 000013
2022500906.tif 000014